(57)【要約】【課題】  発光効率が高く、高輝度・高精細で駆動耐久性に優れる有機電界発光素子を提供する。【解決手段】  一対の電極間に、少なくとも一層の発光層を含む有機化合物層を有する有機電界発光素子において、前記発光層が光変性可能な化合物と３座以上の配位子を有する金属錯体とを含有することを特徴とする有機電界発光素子。【選択図】  なし【特許請求の範囲】
【請求項１】
一対の電極間に、少なくとも一層の発光層を含む有機化合物層を有する有機電界発光素子において、前記発光層が光変性可能な化合物と３座以上の配位子を有する金属錯体とを含有することを特徴とする有機電界発光素子。
【請求項２】
前記３座以上の配位子を有する金属錯体が下記一般式（Ｉ）で表されることを特徴とする請求項１に記載の有機電界発光素子。
【化１】
2007088105.tif 000136
（一般式（I）中、Ｍ11は金属イオンを表し、Ｌ11〜Ｌ15はそれぞれＭ11に配位する配位子を表す。Ｌ11とＬ14との間に原子群がさらに存在して環状配位子を形成してもよい。Ｌ15はＬ11及びＬ14の両方と結合して環状配位子を形成してもよい。Ｙ11、Ｙ12、Ｙ13はそれぞれ連結基、単結合、または二重結合を表す。また、Ｙ11、Ｙ12、又はＹ13が連結基である場合、Ｌ11とＹ12、Ｙ12とＬ12、Ｌ12とＹ11、Ｙ11とＬ13、Ｌ13とＹ13、Ｙ13とＬ14の間の結合は、それぞれ独立に、単結合又は二重結合を表す。ｎ11は０〜４を表す。Ｍ11とＬ11〜Ｌ15との結合は、それぞれ配位結合、イオン結合、共有結合のいずれでもよい。）
【請求項３】
前記３座以上の配位子が、鎖状配位子であることを特徴とする請求項１又は２に記載の有機電界発光素子。
【請求項４】
前記３座以上の配位子を有する金属錯体が、下記一般式（ＩＩ）で表されることを特徴とする請求項１に記載の有機電界発光素子。
【化２】
2007088105.tif 000137
（一般式（ＩＩ）中、ＭX1は金属イオンを表す。ＱX11〜ＱX16はＭX1に配位する原子またはＭX1に配位する原子を含んだ原子群を表す。ＬX11〜ＬX14は単結合、二重結合または連結基を表す。すなわち、ＱX11−ＬX11−ＱX12−ＬX12−ＱX13からなる原子群およびＱX14−ＬX13−ＱX15−ＬX14−ＱX16からなる原子群はそれぞれ三座の配位子である。ＭX1とＱX11〜ＱX16との結合は、それぞれ配位結合、イオン結合、共有結合のいずれでもよい。）
【請求項５】
前記３座以上の配位子を有する金属錯体が、下記一般式（ＩＩＩ）で表されることを特徴とする請求項１に記載の有機電界発光素子。
【化３】
2007088105.tif 000138
（一般式（ＩＩＩ）中、Ｑ11は含窒素へテロ環を形成する原子群を表し、Ｚ11、Ｚ12、Ｚ13はそれぞれ置換又は無置換の、炭素原子又は窒素原子を表し、ＭY1は更に配位子を有しても良い金属イオンを表す。）
【請求項６】
前記３座以上の配位子を有する金属錯体中の金属イオンが、遷移金属イオンであることを特徴とする請求項１〜５のいずれか１項に記載の有機電界発光素子。
【請求項７】
前記３座以上の配位子を有する金属錯体中の金属イオンが、イリジウムイオン、白金イオン、金イオン、レニウムイオン、タングステンイオン、ロジウムイオン、ルテニウムイオン、オスミウムイオン、パラジウムイオン、銀イオン、銅イオン、コバルトイオン、亜鉛イオン、ニッケルイオン、鉛イオン、アルミニウムイオン、及びガリウムイオンの群から選ばれる一種以上であることを特徴とする請求項６に記載の有機電界発光素子。
【請求項８】
前記３座以上の配位子を有する金属錯体中の金属イオンが、希土類金属イオンであることを特徴とする請求項６に記載の有機電界発光素子。
【請求項９】
前記３座以上の配位子を有する金属錯体が発光材材料であり、該発光材料の発光波長は前記光変性可能な化合物の発光波長よりも短いことを特徴とする請求項１〜８のいずれか１項に記載の有機電界発光素子。
【請求項１０】
請求項１〜９のいずれか１項に記載の有機電界発光素子において、光変性させた箇所と光変性させない箇所とを共に有し、かつ、２色以上発光させることができることを特徴とする有機電界発光素子。
【発明の詳細な説明】
【技術分野】
【０００１】
本発明は、電気エネルギーを光に変換して発光できる有機電界発光素子（以下、「発光素子」、または「ＥＬ素子」ともいう。）に関する。
【背景技術】
【０００２】
今日、種々の表示素子に関する研究開発が活発であり、中でも有機電界発光（ＥＬ）素子は、低電圧で高輝度の発光を得ることができるため、有望な表示素子として注目されている。
【０００３】
従来、有機ＥＬ素子を用いたフルカラー表示は、ＲＧＢ３色に発光する素子発光部を併設して、１つの表示単位（画素）とすることにより行っている。
一方、２種類以上の発光中心となり得る有機色素を使用した有機ＥＬ素子作製過程において、有機発光色素層に部分的に電磁波照射（光照射）することにより、任意の１種類以上の色素を光酸化や光分解により変性させ、その結果、該色素を発光中心としての機能不可能あるいは機能不充分の状態とし、これにより発光色を変化させ、光照射部分の発光色と未露光部分の発光色とを異なったものとする（以下、「フォトブリーチング」ともいう。）方法が開示されている（例えば、特許文献１、２参照。）。
しかしながら、上記の蛍光発光材料を用いた方法は、得られた素子の耐久性が十分でなかった。
【特許文献１】国際公開９７／０４３８７４号パンフレット
【特許文献２】特開２００１−１３１４３４号公報
【特許文献３】特開２００４−１０３５３２号公報
【発明の開示】
【発明が解決しようとする課題】
【０００４】
本発明の目的は、色のパターニングが容易であり、駆動耐久性に優れる有機電界発光素子を提供することにある。
【課題を解決するための手段】
【０００５】
前記実情に鑑み本発明者らは、鋭意研究を行ったところ、上記課題を解決しうることを見出し本発明を完成した。
即ち、本発明は下記の手段により達成されるものである。
【０００６】
＜１＞  一対の電極間に、少なくとも一層の発光層を含む有機化合物層を有する有機電界発光素子において、前記発光層が光変性可能な化合物と３座以上の配位子を有する金属錯体とを含有することを特徴とする有機電界発光素子。
＜２＞  前記３座以上の配位子を有する金属錯体が下記一般式（Ｉ）で表されることを特徴とする上記＜１＞に記載の有機電界発光素子。
【０００７】
【化１】
2007088105.tif 000002
【０００８】
（一般式（I）中、Ｍ11は金属イオンを表し、Ｌ11〜Ｌ15はそれぞれＭ11に配位する配位子を表す。Ｌ11とＬ14との間に原子群がさらに存在して環状配位子を形成してもよい。Ｌ15はＬ11及びＬ14の両方と結合して環状配位子を形成してもよい。Ｙ11、Ｙ12、Ｙ13はそれぞれ連結基、単結合、または二重結合を表す。また、Ｙ11、Ｙ12、又はＹ13が連結基である場合、Ｌ11とＹ12、Ｙ12とＬ12、Ｌ12とＹ11、Ｙ11とＬ13、Ｌ13とＹ13、Ｙ13とＬ14の間の結合は、それぞれ独立に、単結合又は二重結合を表す。ｎ11は０〜４を表す。Ｍ11とＬ11〜Ｌ15との結合は、それぞれ配位結合、イオン結合、共有結合のいずれでもよい。）
【０００９】
＜３＞  前記３座以上の配位子が、鎖状配位子であることを特徴とする上記＜１＞又は＜２＞に記載の有機電界発光素子。
＜４＞  前記３座以上の配位子を有する金属錯体が、下記一般式（ＩＩ）で表されることを特徴とする上記＜１＞に記載の有機電界発光素子。
【００１０】
【化２】
2007088105.tif 000003
【００１１】
（一般式（ＩＩ）中、ＭX1は金属イオンを表す。ＱX11〜ＱX16はＭX1に配位する原子またはＭX1に配位する原子を含んだ原子群を表す。ＬX11〜ＬX14は単結合、二重結合または連結基を表す。すなわち、ＱX11−ＬX11−ＱX12−ＬX12−ＱX13からなる原子群およびＱX14−ＬX13−ＱX15−ＬX14−ＱX16からなる原子群はそれぞれ三座の配位子である。ＭX1とＱX11〜ＱX16との結合は、それぞれ配位結合、イオン結合、共有結合のいずれでもよい。）
【００１２】
＜５＞  前記３座以上の配位子を有する金属錯体が、下記一般式（ＩＩＩ）で表されることを特徴とする上記＜１＞に記載の有機電界発光素子。
【００１３】
【化３】
2007088105.tif 000004
【００１４】
（一般式（ＩＩＩ）中、Ｑ11は含窒素へテロ環を形成する原子群を表し、Ｚ11、Ｚ12、Ｚ13はそれぞれ置換又は無置換の、炭素原子又は窒素原子を表し、ＭY1は更に配位子を有しても良い金属イオンを表す。）
【００１５】
＜６＞  前記３座以上の配位子を有する金属錯体中の金属イオンが、遷移金属イオンであることを特徴とする上記＜１＞〜＜５＞のいずれか１項に記載の有機電界発光素子。
＜７＞  前記３座以上の配位子を有する金属錯体中の金属イオンが、イリジウムイオン、白金イオン、金イオン、レニウムイオン、タングステンイオン、ロジウムイオン、ルテニウムイオン、オスミウムイオン、パラジウムイオン、銀イオン、銅イオン、コバルトイオン、亜鉛イオン、ニッケルイオン、鉛イオン、アルミニウムイオン、及びガリウムイオンの群から選ばれる一種以上であることを特徴とする上記＜６＞に記載の有機電界発光素子。
【００１６】
＜８＞  前記３座以上の配位子を有する金属錯体中の金属イオンが、希土類金属イオンであることを特徴とする上記＜６＞に記載の有機電界発光素子。
＜９＞  前記３座以上の配位子を有する金属錯体が発光材材料であり、該発光材料の発光波長は前記光変性可能な化合物の発光波長よりも短いことを特徴とする上記＜１＞〜＜８＞のいずれか１項に記載の有機電界発光素子。
【００１７】
＜１０＞  上記＜１＞〜＜９＞のいずれか１項に記載の有機電界発光素子において、光変性させた箇所と光変性させない箇所とを共に有し、かつ、２色以上発光させることができることを特徴とする有機電界発光素子。
【発明の効果】
【００１８】
本発明によれば、色のパターニングが容易であり、駆動耐久性に優れる有機電界発光素子を提供することができる。
【発明を実施するための最良の形態】
【００１９】
本発明の有機電界発光素子は、一対の電極間に、少なくとも一層の発光層を有し、前記発光層が光変性可能な化合物と３座以上の配位子を有する金属錯体とを含有することを特徴とする。
上記構成とすることにより、色のパターニングが容易であり、駆動耐久性に優れる有機電界発光素子を提供することができる。
【００２０】
まず、本発明中の前記３座以上の配位子を有する金属錯体について説明する。
該金属錯体において金属イオンに配位する原子は特に限定されないが、酸素原子、窒素原子、炭素原子、硫黄原子又はリン原子が好ましく、酸素原子、窒素原子又は炭素原子がより好ましく、窒素原子又は炭素原子が更に好ましい。
【００２１】
金属錯体中の金属イオンは、特に限定されないが、発光効率向上、耐久性向上、駆動電圧低下の観点から、遷移金属イオン、希土類金属イオンであることが好ましく、より好ましくは、イリジウムイオン、白金イオン、金イオン、レニウムイオン、タングステンイオン、ロジウムイオン、ルテニウムイオン、オスミウムイオン、パラジウムイオン、銀イオン、銅イオン、コバルトイオン、亜鉛イオン、ニッケルイオン、鉛イオン、アルミニウムイオン、ガリウムイオン、希土類金属イオン（例えば、ユーロピウムイオン、カドリニウムイオン、テルビウムイオンなど）が好ましく、更に好ましくは、イリジウムイオン、白金イオン、金イオン、レニウムイオン、タングステンイオン、パラジウムイオン、亜鉛イオン、アルミニウムイオン、ガリウムイオン、ユーロピウムイオン、カドリニウムイオン、テルビウムイオンであり、該金属錯体を発光材料として用いる場合には、イリジウムイオン、白金イオン、レニウムイオン、タングステンイオン、ユーロピウムイオン、カドリニウムイオン、テルビウムイオンが特に好ましく、該金属錯体を電荷輸送材料や発光層中のホスト材料として用いる場合には、イリジウムイオン、白金イオン、パラジウムイオン、亜鉛イオン、アルミニウムイオン、ガリウムイオンが特に好ましい。
【００２２】
本発明における３座以上の配位子を有する金属錯体としては、発光効率向上、耐久性向上の観点から、３座以上６座以下の配位子を有する金属錯体が好ましく、イリジウムイオンに代表される６配位型錯体を形成しやすい金属イオンの場合には、３座、４座、または６座の配位子を有する金属錯体がより更好ましく、白金イオンに代表される４配位型錯体を形成しやすい金属イオンの場合には、３座または４座の配位子を有する金属錯体がより好ましく、４座の配位子を有する金属錯体が更に好ましい。
【００２３】
本発明における金属錯体の配位子は発光効率向上、耐久性向上の観点から、鎖状、又は、環状であることが好ましく、中心金属（例えば、後述する一般式（Ｉ）で表される化合物の場合であればＭ11を表す。）に窒素で配位する含窒素へテロ環（例えば、ピリジン環、キノリン環、ピリミジン環、ピラジン環、ピロール環、イミダゾール環、ピラゾール環、オキサゾール環、チアゾール環、オキサジアゾール環、チアジアゾール環、トリアゾール環など）を少なくとも一つ有することが好ましい。該含窒素ヘテロ環としては、含窒素６員ヘテロ環、含窒素５員ヘテロ環であることがより好ましい。これらのヘテロ環は他の環と縮合環を形成してもよい。
【００２４】
金属錯体の配位子が鎖状であるとは、金属錯体の配位子が環状構造をとらないことを意味する（例えば、ターピリジル配位子など。）。また、金属錯体の配位子が環状であるとは、金属錯体中の複数の配位子が互いに結合して、閉じた構造形成することを意味する（例えば、フタロシアニン配位子、クラウンエーテル配位子など。）。
【００２５】
本発明における金属錯体としては、以下に詳述する一般式（Ｉ）、一般式（ＩＩ）または一般式（ＩＩＩ）で表される化合物であることが好ましい。
【００２６】
先ず、一般式（Ｉ）で表される化合物について説明する。
【００２７】
【化４】
2007088105.tif 000005
【００２８】
一般式（I）中、Ｍ11は金属イオンを表し、Ｌ11〜Ｌ15はそれぞれＭ11に配位する配位子を表す。Ｌ11とＬ14との間に原子群がさらに存在して環状配位子を形成してもよい。Ｌ15はＬ11及びＬ14の両方と結合して環状配位子を形成してもよい。Ｙ11、Ｙ12、Ｙ13はそれぞれ連結基、単結合、または二重結合を表す。また、Ｙ11、Ｙ12、又はＹ13が連結基である場合、Ｌ11とＹ12、Ｙ12とＬ12、Ｌ12とＹ11、Ｙ11とＬ13、Ｌ13とＹ13、Ｙ13とＬ14の間の結合は、それぞれ独立に、単結合又は二重結合を表す。ｎ11は０〜４を表す。Ｍ11とＬ11〜Ｌ15との結合は、それぞれ配位結合、イオン結合、共有結合のいずれでもよい。。
【００２９】
一般式（Ｉ）で表される化合物について詳細に説明する。
一般式（Ｉ）中、Ｍ11は金属イオンを表す。金属イオンとしては特に限定されないが、２価または３価の金属イオンが好ましい。２価または３価の金属イオンとしては、白金イオン、イリジウムイオン、レニウムイオン、パラジウムイオン、ロジウムイオン、ルテニウムイオン、銅イオン、ユーロピウムイオン、ガドリニウムイオン、テルビウムイオンが好ましく、白金イオン、イリジウムイオン、ユーロピウムイオンがより好ましく、白金イオン、イリジウムイオンがさらに好ましく、白金イオンが特に好ましい。
【００３０】
一般式（Ｉ）中、Ｌ11、Ｌ12、Ｌ13、及びＬ14は、それぞれ独立に、Ｍ11に配位する配位子を表す。Ｌ11、Ｌ12、Ｌ13、及びＬ14に含まれ、かつ、Ｍ11に配位する原子としては、窒素原子、酸素原子、硫黄原子、炭素原子、又はリン原子が好ましく、窒素原子、酸素原子、硫黄原子、又は炭素原子がより好ましく、窒素原子、酸素原子、又は炭素原子が更に好ましい。
【００３１】
Ｍ11とＬ11、Ｌ12、Ｌ13、及びＬ14でそれぞれ形成される結合は、それぞれ独立に、共有結合であってもイオン結合であっても配位結合であってもよい。本発明における配位子とは、説明の便宜上、配位結合のみならず他のイオン結合、共有結合により形成された場合においても用いるものとする。
Ｌ11、Ｙ12、Ｌ12、Ｙ11、Ｌ13、Ｙ13、及びＬ14から成る配位子は、アニオン性配位子（少なくとも一つのアニオンが金属と結合する配位子）であることが好ましい。アニオン性配位子中のアニオンの数は、１〜３が好ましく、１、２がより好ましく、２がさらに好ましい。
【００３２】
Ｍ11に炭素原子で配位するＬ11、Ｌ12、Ｌ13、及びＬ14としては、特に限定されないが、それぞれ独立にイミノ配位子、芳香族炭素環配位子（例えばベンゼン配位子、ナフタレン配位子、アントラセン配位子、フェナントラセン配位子など）、ヘテロ環配位子（例えばチオフェン配位子、ピリジン配位子、ピラジン配位子、ピリミジン配位子、チアゾール配位子、オキサゾール配位子、ピロール配位子、イミダゾール配位子、ピラゾール配位子、及び、それらを含む縮環体（例えばキノリン配位子、ベンゾチアゾール配位子など）およびこれらの互変異性体）が挙げられる。
【００３３】
Ｍ11に窒素原子で配位するＬ11、Ｌ12、Ｌ13、及びＬ14としては特に限定されないが、それぞれ独立に、含窒素へテロ環配位子（例えば、ピリジン配位子、ピラジン配位子、ピリミジン配位子、ピリダジン配位子、トリアジン配位子、チアゾール配位子、オキサゾール配位子、ピロール配位子、イミダゾール配位子、ピラゾール配位子、トリアゾール配位子、オキサジアゾール配位子、チアジアゾール配位子、及び、それらを含む縮環体（例えば、キノリン配位子、ベンズオキサゾール配位子、ベンズイミダゾール配位子など）、及び、これらの互変異性体（なお、本発明では通常の異性体以外に次のような例も互変異性体と定義する。例えば、後述する化合物（２４）の５員ヘテロ環配位子、化合物（６４）の末端５員ヘテロ環配位子、化合物（１４５）の５員ヘテロ環配位子もピロール互変異性体と定義する。）など、アミノ配位子（アルキルアミノ配位子（好ましくは炭素数２〜３０、より好ましくは炭素数２〜２０、特に好ましくは炭素数２〜１０であり、例えばメチルアミノなどが挙げられる。）、アリールアミノ配位子（例えばフェニルアミノなどが挙げられる。）、アシルアミノ配位子（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ配位子（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ配位子（好ましくは炭素数７〜３０、より好ましくは炭素数７〜２０、特に好ましくは炭素数７〜１２であり、例えばフェニルオキシカルボニルアミノなどが挙げられる。）、スルホニルアミノ配位子（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、イミノ配位子など）が挙げられる。これらの配位子はさらに置換されていてもよい。
【００３４】
Ｍ11に酸素原子で配位するＬ11、Ｌ12、Ｌ13、及びＬ14としては特に限定されないが、それぞれ独立に、アルコキシ配位子（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ配位子（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ配位子（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシルオキシ配位子（好ましくは炭素数２〜３０、より好ましくは炭素数２〜２０、特に好ましくは炭素数２〜１０であり、例えばアセトキシ、ベンゾイルオキシなどが挙げられる。）、シリルオキシ配位子（好ましくは炭素数３〜４０、より好ましくは炭素数３〜３０、特に好ましくは炭素数３〜２４であり、例えばトリメチルシリルオキシ、トリフェニルシリルオキシなどが挙げられる。）、カルボニル配位子（例えばケトン配位子、エステル配位子、アミド配位子など）、エーテル配位子（例えばジアルキルエーテル配位子、ジアリールエーテル配位子、フリル配位子など）などが挙げられる。
【００３５】
Ｍ11に硫黄原子で配位するＬ11、Ｌ12、Ｌ13、及びＬ14としては特に限定されないが、それぞれ独立に、アルキルチオ配位子（好ましくは炭素数１〜３０、より好ましくは炭素数１〜２０、特に好ましくは炭素数１〜１２であり、例えばメチルチオ、エチルチオなどが挙げられる。）、アリールチオ配位子（好ましくは炭素数６〜３０、より好ましくは炭素数６〜２０、特に好ましくは炭素数６〜１２であり、例えばフェニルチオなどが挙げられる。）、ヘテロ環チオ配位子（好ましくは炭素数１〜３０、より好ましくは炭素数１〜２０、特に好ましくは炭素数１〜１２であり、例えばピリジルチオ、２−ベンズイミダゾリルチオ、２−ベンズオキサゾリルチオ、２−ベンズチアゾリルチオなどが挙げられる。）、チオカルボニル配位子（例えばチオケトン配位子、チオエステル配位子など）、又はチオエーテル配位子（例えばジアルキルチオエーテル配位子、ジアリールチオエーテル配位子、チオフリル配位子など）などが挙げられる。これらの置換配位子は更に置換されてもよい。
【００３６】
Ｍ11にリン原子で配位するＬ11、Ｌ12、Ｌ13、及びＬ14としては特に限定されないが、それぞれ独立に、ジアルキルホスフィノ基、ジアリールホスフィノ基、トリアルキルホスフィン、トリアリールホスフィン、ホスフィニン基等があげられる。これらの基は更に置換されてもよい。
【００３７】
Ｌ11及びＬ14は、それぞれ独立に、芳香族炭素環配位子、アルキルオキシ配位子、アリールオキシ配位子、エーテル配位子、アルキルチオ配位子、アリールチオ配位子、アルキルアミノ配位子、アリールアミノ配位子、アシルアミノ配位子、含窒素へテロ環配位子（例えばピリジン配位子、ピラジン配位子、ピリミジン配位子、ピリダジン配位子、トリアジン配位子、チアゾール配位子、オキサゾール配位子、ピロール配位子、イミダゾール配位子、ピラゾール配位子、トリアゾール配位子、オキサジアゾール配位子、チアジアゾール配位子、又は、それらを含む縮配位子体（例えば、キノリン配位子、ベンズオキサゾール配位子、ベンズイミダゾール配位子など）、又は、これらの互変異性体など）が好ましく、芳香族炭素環配位子、アリールオキシ配位子、アリールチオ配位子、アリールアミノ配位子、並びにピリジン配位子、ピラジン配位子、イミダゾール配位子、又は、それらを含む縮配位子体（例えば、キノリン配位子、キノキサリン配位子、ベンズイミダゾール配位子など）、又は、これらの互変異性体がより好ましく、芳香族炭素環配位子、アリールオキシ配位子、アリールチオ配位子、又はアリールアミノ配位子がさらに好ましく、芳香族炭素環配位子、又はアリールオキシ配位子が特に好ましい。
【００３８】
Ｌ12及びＬ13は、それぞれ独立に、Ｍ11と配位結合を形成する配位子が好ましく、Ｍ11
と配位結合を形成する配位子としては、ピリジン環、ピラジン環、ピリミジン環、トリアジン環、チアゾール環、オキサゾール環、ピロール環、トリアゾール環、及び、それらを含む縮環体（例えば、キノリン環、ベンズオキサゾール環、ベンズイミダゾール環、インドレニン環など）及び、これらの互変異性体が好ましく、ピリジン環、ピラジン環、ピリミジン環、ピロール環、及び、それらを含む縮環体（例えば、キノリン環、ベンズピロールなど）、及び、これらの互変異性体がより好ましく、ピリジン環、ピラジン環、ピリミジン環、及び、それらを含む縮環体（例えば、キノリン環など）がさらに好ましく、ピリジン環、及び、ピリジン環を含む縮環体（例えば、キノリン環など）が特に好ましい。
【００３９】
一般式（Ｉ）中、Ｌ15はＭ11に配位する配位子を表す。Ｌ15は１〜４座の配位子が好ましく、１〜４座のアニオン性配位子がより好ましい。１〜４座のアニオン性配位子としては特に限定されないが、ハロゲン配位子、１，３−ジケトン配位子（例えば、アセチルアセトン配位子など）、ピリジン配位子を含有するモノアニオン性２座配位子（例えば、ピコリン酸配位子、２−（２−ヒドロキシフェニル）−ピリジン配位子など）、Ｌ11、Ｙ12
、Ｌ12、Ｙ11、Ｌ13、Ｙ13、Ｌ14で形成される４座配位子が好ましく、１，３−ジケトン配位子（例えば、アセチルアセトン配位子など）、ピリジン配位子を含有するモノアニオン性２座配位子（例えばピコリン酸配位子、２−（２−ヒドロキシフェニル）−ピリジン配位子など）、Ｌ11、Ｙ12、Ｌ12、Ｙ11、Ｌ13、Ｙ13、Ｌ14で形成される４座配位子がより好ましく、１，３−ジケトン配位子（例えば、アセチルアセトン配位子など）、ピリジン配位子を含有するモノアニオン性２座配位子（例えば、ピコリン酸配位子、２−（２−ヒドロキシフェニル）−ピリジン配位子など）がさらに好ましく、１，３−ジケトン配位子（例えば、アセチルアセトン配位子など）が特に好ましい。配位座の数、及び配位子の数が、金属の配位数を上回ることはない。但し、Ｌ15はＬ11及びＬ14の両方と結合して環状配位子を形成することはない。
【００４０】
一般式（Ｉ）中、Ｙ11、Ｙ12、及びＹ13は、それぞれ独立に、連結基、単結合、または二重結合を表す。連結基としては、特に限定されないが、例えば、炭素原子、窒素原子、酸素原子、硫黄原子、ケイ素原子、リン原子から選択される原子を含んで構成される連結基が好ましい。このような連結基の具体例としては、例えば下記のものが挙げられる。
【００４１】
【化５】
2007088105.tif 000006
【００４２】
また、Ｙ11、Ｙ12、又はＹ13が連結基である場合、Ｌ11とＹ12、Ｙ12とＬ12、Ｌ12とＹ11、Ｙ11とＬ13、Ｌ13とＹ13、Ｙ13とＬ14の間の結合は、それぞれ独立に、単結合又は二重結合を表す。
【００４３】
Ｙ11、Ｙ12、及びＹ13は、それぞれ独立に、単結合、二重結合、カルボニル連結基、アルキレン連結基、アルケニレン基が好ましい。Ｙ11は、単結合、アルキレン基がより好ましく、アルキレン基がさらに好ましい。Ｙ12及びＹ13は、単結合、アルケニレン基がより好ましく、単結合がさらに好ましい。
【００４４】
Ｙ12、Ｌ11、Ｌ12、及びＭ11で形成される環、Ｙ11、Ｌ12、Ｌ13、及びＭ11で形成される環、Ｙ13、Ｌ13、Ｌ14、及びＭ11で形成される環は、それぞれ環員数４〜１０が好ましく、環員数５〜７がより好ましく、環員数５又は６がさらに好ましい。
【００４５】
一般式（Ｉ）中、ｎ11は０〜４を表す。Ｍ11が配位数４の金属の場合、ｎ11は０であり、Ｍ11が配位数６の金属の場合、ｎ11は１、２が好ましく、１がより好ましい。Ｍ11が配位数６でｎ11が１の場合Ｌ15は２座配位子を表し、Ｍ11が配位数６でｎ11が２の場合Ｌ15は単座配位子を表す。Ｍ11が配位数８の金属の場合、ｎ11は１〜４が好ましく、１、２がより好ましく、１がより好ましい。Ｍ11が配位数８でｎ11が１の場合Ｌ15は４座配位子を表し、Ｍ11が配位数８でｎ11が２の場合Ｌ15は２座配位子を表す。ｎ11が複数のときは、複数のＬ15は同じであっても異なっていてもよい。
【００４６】
前記一般式（Ｉ）で表される化合物の好ましい形態は、以下に挙げる、一般式（１）、一般式（２）、一般式（３）、及び一般式（４）で表される各化合物である。
一般式（１）で表される化合物について説明する。
【００４７】
【化６】
2007088105.tif 000007
【００４８】
一般式（１）中、Ｍ21は金属イオンを表し、Ｙ21は連結基、単結合、または二重結合を表す。Ｙ22、Ｙ23はそれぞれ単結合または連結基を表す。Ｑ21、Ｑ22はそれぞれ含窒素ヘテロ環を形成する原子群を表し、Ｑ21で形成される環とＹ21の間の結合およびＱ22で形成される環とＹ21の間の結合は、単結合または二重結合を表す。Ｘ21、Ｘ22は、それぞれ独立に、酸素原子、硫黄原子、置換または無置換の窒素原子を表す。Ｒ21、Ｒ22、Ｒ23、及びＲ24は、それぞれ独立に、水素原子又は置換基を表し、Ｒ21及びＲ22並びにＲ23及びＲ24は各々結合して環を形成してもよい。Ｌ25はＭ21に配位する配位子を表す。ｎ21は０〜４の整数を表す。
【００４９】
一般式（１）について詳細に説明する。
一般式（１）中、Ｍ21は、前記一般式（Ｉ）におけるＭ11と同義であり、好ましい範囲も同じである。
【００５０】
Ｑ21、Ｑ22は、それぞれ独立に、含窒素へテロ環（Ｍ21に配位する窒素を含む環）を形成する原子群を表す。Ｑ21、Ｑ22で形成される含窒素ヘテロ環としては特に限定されないが、例えば、ピリジン環、ピラジン環、ピリミジン環、トリアジン環、チアゾール環、オキサゾール環、ピロール環、トリアゾール環、及び、それらを含む縮環体（例えば、キノリン環、ベンズオキサゾール環、ベンズイミダゾール環、インドレニン環など）及び、これらの互変異性体が挙げられる。
【００５１】
Ｑ21、Ｑ22で形成される含窒素ヘテロ環としては、好ましくは、ピリジン環、ピラジン環、ピリミジン環、ピリダジン環、トリアジン環、ピラゾール環、イミダゾール環、オキサゾール環、ピロール環、ベンズアゾール環、及び、それらを含む縮環体（例えば、キノリン環、ベンズオキサゾール環、ベンズイミダゾール環など）及び、これらの互変異性体であり、より好ましくはピリジン環、ピラジン環、ピリミジン環、イミダゾール環、ピロール環、及び、それらを含む縮環体（例えば、キノリン環など）及び、これらの互変異性体であり、さらに好ましくは、ピリジン環、及び、その縮環体（例えば、キノリン環など）であり、特に好ましくはピリジン環である。
【００５２】
Ｘ21、Ｘ22は、それぞれ独立に、酸素原子、硫黄原子、置換または無置換の窒素原子であり、酸素原子、硫黄原子、置換された窒素原子がより好ましく、酸素原子、硫黄原子がさらに好ましく、酸素原子が特に好ましい。
【００５３】
Ｙ21は、前記一般式（Ｉ）におけるＹ11と同義であり、好ましい範囲も同じである。
【００５４】
Ｙ22、Ｙ23は、それぞれ独立に、単結合、連結基を表し、単結合が好ましい。連結基としては特に限定されないが、例えば、カルボニル連結基、チオカルボニル連結基、アルキレン基、アルケニレン基、アリーレン基、ヘテロアリーレン基、酸素原子連結基、窒素原子連結基、及び、これらの組み合わせからなる連結基などが挙げられる。
【００５５】
Ｙ22又はＹ23として表される連結基としては、カルボニル連結基、アルキレン連結基、アルケニレン連結基が好ましく、カルボニル連結基、アルケニレン連結基がより好ましく、カルボニル連結基がさらに好ましい。
【００５６】
Ｒ21、Ｒ22、Ｒ23、及びＲ24は、それぞれ独立に、水素原子または置換基を表す。置換基としては特に限定されないが、例えば、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、
【００５７】
アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、
【００５８】
アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、
【００５９】
カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミダゾリルチオ、２−ベンズオキサゾリルチオ、２−ベンズチアゾリルチオなどが挙げられる。）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、
【００６０】
リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。これらの置換基は更に置換されてもよい。
【００６１】
Ｒ21、Ｒ22、Ｒ23、及びＲ24は、それぞれ独立に、アルキル基、アリール基、Ｒ21とＲ22またはＲ23とＲ24が結合して環構造（例えば、ベンゾ縮環、ピリジン縮環など）を形成する基が好ましく、Ｒ21とＲ22又はＲ23とＲ24が結合して環構造（例えばベンゾ縮環、ピリジン縮環など）を形成する基がより好ましい。
【００６２】
Ｌ25は前記一般式（Ｉ）におけるＬ15と同義であり、好ましい範囲も同じである。
【００６３】
ｎ21は前記一般式（Ｉ）におけるｎ11と同義であり、好ましい範囲も同じである。
【００６４】
一般式（１）において、Ｑ21、Ｑ22が形成する環がピリジン環のとき、Ｙ21は連結基を表す金属錯体であること、Ｑ21、Ｑ22が形成する環がピリジン環で、Ｙ21が単結合または二重結合で、Ｘ21、Ｘ22が硫黄原子、置換または無置換の窒素原子を表す金属錯体であること、或いは、Ｑ21、Ｑ22が形成する環が含窒素ヘテロ５員環、または、窒素原子を２つ以上含む含窒素６員環を表す金属錯体であることが好ましい。
【００６５】
前記一般式（１）で表される化合物の好ましい形態は、下記一般式（１−Ａ）で表される化合物である。
【００６６】
【化７】
2007088105.tif 000008
【００６７】
一般式（１−Ａ）について説明する。
一般式（１−Ａ）中、Ｍ31は、前記一般式（Ｉ）におけるＭ11と同義であり、好ましい範囲も同じである。
【００６８】
Ｚ31、Ｚ32、Ｚ33、Ｚ34、Ｚ35、及びＺ36は、それぞれ独立に、置換または無置換の炭素原子、窒素原子を表し、置換または無置換の炭素原子がより好ましい。炭素上の置換基としては、前記一般式（１）におけるＲ21で説明した基が挙げられ、また、Ｚ31とＺ32、Ｚ32とＺ33、Ｚ33とＺ34、Ｚ34とＺ35、Ｚ35とＺ36が連結基を介して結合し、縮環（例えば、ベンゾ縮環、ピリジン縮環など）を形成してもよく、Ｚ31とＴ31、Ｚ36とＴ38が連結基を介して結合し、縮環（例えば、ベンゾ縮環、ピリジン縮環など）を形成してもよい。
【００６９】
前記炭素上の置換基としては、アルキル基、アルコキシ基、アルキルアミノ基、アリール基、縮環（例えば、ベンゾ縮環、ピリジン縮環など）を形成する基、ハロゲン原子が好ましく、アルキルアミノ基、アリール基、縮環（例えば、ベンゾ縮環、ピリジン縮環など）を形成する基がより好ましく、アリール基、縮環（例えば、ベンゾ縮環、ピリジン縮環など）を形成する基がさらに好ましく、縮環（例えば、ベンゾ縮環、ピリジン縮環など）を形成する基が特に好ましい。
【００７０】
Ｔ31、Ｔ32、Ｔ33、Ｔ34、Ｔ35、Ｔ36、Ｔ37、及びＴ38は、それぞれ独立に、置換または無置換の炭素原子、窒素原子を表し、置換または無置換の炭素原子がより好ましい。炭素上の置換基としては、前記一般式（１）におけるＲ21で説明した基が挙げられ、また、Ｔ31とＴ32、Ｔ32とＴ33、Ｔ33とＴ34、Ｔ35とＴ36、Ｔ36とＴ37、Ｔ37とＴ38が連結基を介して結合し、縮環（例えばベンゾ縮環など）を形成しても良い。
【００７１】
前記炭素上の置換基としては、アルキル基、アルコキシ基、アルキルアミノ基、アリール基、縮環（例えば、ベンゾ縮環、ピリジン縮環など）を形成する基、ハロゲン原子が好ましく、アリール基、縮環（例えば、ベンゾ縮環、ピリジン縮環など）を形成する基、ハロゲン原子がより好ましく、アリール基、ハロゲン原子がさらに好ましく、アリール基が特に好ましい。
【００７２】
Ｘ31、Ｘ32は、それぞれ独立に、前記一般式（１）におけるＸ21、Ｘ22と同義であり、好ましい範囲も同じである。
【００７３】
一般式（２）で表される化合物について説明する。
【００７４】
【化８】
2007088105.tif 000009
【００７５】
一般式（２）中、Ｍ51は前記一般式（Ｉ）におけるＭ11と同義であり、好ましい範囲も同じである。
【００７６】
Ｑ51、Ｑ52は、それぞれ独立に、前記一般式（１）におけるＱ21、Ｑ22と同義であり、好ましい範囲も同じである。
【００７７】
Ｑ53、Ｑ54は、それぞれ独立に、含窒素へテロ環（Ｍ51に配位する窒素を含む環）を形成する基を表す。Ｑ53、Ｑ54で形成される含窒素ヘテロ環としては特に限定されないが、ピロール誘導体の互変異性体、イミダゾール誘導体の互変異性体（例えば、下記例示化合物（２９）のヘテロ５員環配位子など）、チアゾール誘導体の互変異性体（例えば、下記例示化合物（３０）のヘテロ５員環配位子など）、オキサゾール誘導体の互変異性体（例えば、下記例示化合物（３１）のヘテロ５員環配位子など）が好ましく、ピロール誘導体の互変異性体、イミダゾール誘導体の互変異性体、チアゾール誘導体の互変異性体がより好ましく、ピロール誘導体の互変異性体、イミダゾール誘導体の互変異性体がさらに好ましく、ピロール誘導体の互変異性体が特に好ましい。
【００７８】
Ｙ51は前記一般式（Ｉ）におけるＹ11と同義であり、好ましい範囲も同じである。
【００７９】
Ｌ55は前記一般式（Ｉ）におけるＬ15と同義であり、好ましい範囲も同じである。
【００８０】
ｎ51は前記ｎ11と同義であり、好ましい範囲も同じである。
【００８１】
Ｗ51、Ｗ52は、それぞれ独立に、置換または無置換の炭素原子、窒素原子を表し、無置換の炭素原子、窒素原子が好ましく、無置換の炭素原子がより好ましい。
【００８２】
一般式（３）で表される化合物について説明する。
【００８３】
【化９】
2007088105.tif 000010
【００８４】
一般式（３）中、ＭA1、ＱA1、ＱA2、ＹA1、ＹA2、ＹA3、ＲA1、ＲA2、ＲA3、ＲA4、ＬA5、ｎA1は、前記一般式（１）におけるＭ21、Ｑ21、Ｑ22、Ｙ21、Ｙ22、Ｙ23、Ｒ21、Ｒ22、Ｒ23、Ｒ24、Ｌ25、ｎ21と同義であり、好ましい範囲も同じである。
【００８５】
前記一般式（３）で表される化合物の好ましい形態は、下記一般式（３−Ａ）で表される化合物、及び下記一般式（３−Ｂ）で表される化合物である。
先ず、一般式（３−Ａ）で表される化合物について説明する
【００８６】
【化１０】
2007088105.tif 000011
【００８７】
一般式（３−Ａ）中、Ｍ61は、前記一般式（Ｉ）におけるＭ11と同義であり、好ましい範囲も同じである。
【００８８】
Ｑ61、Ｑ62は、それぞれ独立に、環を形成する基を表す。Ｑ61、Ｑ62で形成される環としては特に限定されないが、例えば、ベンゼン環、ピリジン環、ピリダジン環、ピリミジン環、チオフェン環、イソチアゾール環、フラン環、イソオキサゾ−ル環、及び、その縮環体が挙げられる。
【００８９】
Ｑ61、Ｑ62で形成される環は、好ましくは、ベンゼン環、ピリジン環、チオフェン環、チアゾール環、及び、その縮環体であり、ベンゼン環、ピリジン環、及び、その縮環体がより好ましく、ベンゼン環、及び、その縮環体がさらに好ましい。
【００９０】
Ｙ61は前記一般式（Ｉ）におけるＹ11と同義であり、好ましい範囲も同じである。
【００９１】
Ｙ62、Ｙ63は、それぞれ独立に、連結基または単結合を表す。連結基としてはとくに限定されないが、例えば、カルボニル連結基、チオカルボニル連結基、アルキレン基、アルケニレン基、アリーレン基、ヘテロアリーレン基、酸素原子連結基、窒素原子連結基、及び、これらの組み合わせからなる連結基などが挙げられる。
【００９２】
Ｙ62、Ｙ63は、それぞれ独立に、単結合、カルボニル連結基、アルキレン連結基、アルケニレン基が好ましく、単結合、アルケニレン基がより好ましく、単結合がさらに好ましい。
【００９３】
Ｌ65は前記一般式（Ｉ）におけるＬ15と同義であり、好ましい範囲も同じである。
【００９４】
ｎ61は前記一般式（Ｉ）におけるｎ11と同義であり、好ましい範囲も同じである。
【００９５】
Ｚ61、Ｚ62、Ｚ63、Ｚ64、Ｚ65、Ｚ66、Ｚ67、及びＺ68は、それぞれ独立に、置換または無置換の炭素原子、窒素原子を表し、置換または無置換の炭素原子が好ましい。炭素上の置換基としては、前記一般式（１）におけるＲ21で説明した基が挙げられ、また、Ｚ61とＺ62、Ｚ62とＺ63、Ｚ63とＺ64、Ｚ65とＺ66、Ｚ66とＺ67、Ｚ67とＺ68が連結基を介して結合し、縮環（例えば、ベンゾ縮環、ピリジン縮環など）を形成しても良い。Ｑ61、Ｑ62で形成される環がそれぞれＺ61、Ｚ68と連結基を介して結合し、環を形成してもよい。
【００９６】
前記炭素上の置換基としては、アルキル基、アルコキシ基、アルキルアミノ基、アリール基、縮環（例えばベンゾ縮環、ピリジン縮環など）を形成する基、ハロゲン原子が好ましく、アルキルアミノ基、アリール基、縮環（例えばベンゾ縮環、ピリジン縮環など）を形成する基がより好ましく、アリール基、縮環（例えばベンゾ縮環、ピリジン縮環など）を形成する基がさらに好ましく、縮環（例えばベンゾ縮環、ピリジン縮環など）を形成する基が特に好ましい。
【００９７】
一般式（３−Ｂ）で表される化合物について説明する。
【００９８】
【化１１】
2007088105.tif 000012
【００９９】
一般式（３−Ｂ）中、Ｍ71は前記一般式（Ｉ）におけるＭ11と同義であり、好ましい範囲も同じである。
【０１００】
Ｙ71、Ｙ72、Ｙ73は、それぞれ独立に、前記一般式（３−Ａ）におけるＹ62と同義であり、好ましい範囲も同じである。
【０１０１】
Ｌ75は前記一般式（Ｉ）におけるＬ15と同義であり、好ましい範囲も同じである。
【０１０２】
ｎ71は前記一般式（Ｉ）におけるｎ11と同義であり、好ましい範囲も同じである。
【０１０３】
Ｚ71、Ｚ72、Ｚ73、Ｚ74、Ｚ75、及びＺ76は、それぞれ独立に、置換または無置換の炭素原子、窒素原子を表し、置換または無置換の炭素原子が好ましい。炭素上の置換基としては、前記一般式（１）におけるＲ21で説明した基が挙げられる。また、Ｒ71とＲ72、Ｒ73とＲ74が連結基を介して結合し、環（例えばベンゼン環、ピリジン環）を形成してもよい。Ｒ71〜Ｒ74は前記一般式（１）におけるＲ21〜Ｒ24の置換基と同義であり、好ましい範囲も同じである。
【０１０４】
前記一般式（３−Ｂ）で表される化合物の好ましい形態は、下記一般式（３−Ｃ）で表される化合物である。
一般式（３−Ｃ）で表される化合物について説明する。
【０１０５】
【化１２】
2007088105.tif 000013
【０１０６】
一般式（３−Ｃ）中、ＲC1、ＲC2は、それぞれ独立に、水素原子または置換基を表し、置換基としては、前記一般式（１）におけるＲ21ないしＲ24の置換基として説明したアルキル基、アリール基を表す。ＲC3、ＲC4、ＲC5、及びＲC6が表す置換基も前記一般式（１）におけるＲ21ないしＲ24の置換基と同義である。ｎC3、ｎC6は０〜３の整数、ｎC4、ｎC5は０〜４の整数を表し、ＲC3、ＲC4、ＲC5、ＲC6をそれぞれ複数個有する場合、複数個のＲC3、ＲC4、ＲC5、ＲC6は同じであっても異なってもよく、連結して環を形成してもよい。ＲC3、ＲC4、ＲC5、ＲC6は、好ましくはアルキル基、アリール基、ヘテロアリール基、ハロゲン原子である。
【０１０７】
一般式（４）で表される化合物について説明する。
【０１０８】
【化１３】
2007088105.tif 000014
【０１０９】
一般式（４）中、ＭB1、ＹB2、ＹB3、ＲB1、ＲB2、ＲB3、ＲB4、ＬB5、ｎB3、ＸB1、ＸB2は、前記一般式（１）におけるＭ21、Ｙ22、Ｙ23、Ｒ21、Ｒ22、Ｒ23、Ｒ24、Ｌ25、ｎ21、Ｘ21、Ｘ22とそれぞれ同義であり好ましい範囲も同様である。
ＹB1は連結基を表し、前記一般式（１）におけるＹ21と同様のであり、好ましくは１，２位で置換したビニル基、フェニレン環、ピリジン環、ピラジン環、ピリミジン環または炭素数２〜８のアルキレン基を表す。
ＲB5、ＲB6は、それぞれ独立に、水素原子または置換基を表し、置換基としては前記一般式（１）におけるＲ21ないしＲ24の置換基として説明したアルキル基、アリール基、ヘテロ環基を表す。ただし、ＹB1はＲB5またはＲB6と連結することはない。ｎB1、ｎB2は、それぞれ独立に、０ないし１の整数を表す。
【０１１０】
前記一般式（４）で表される化合物の好ましい形態は、下記一般式（４−Ａ）で表される化合物である。
一般式（４−Ａ）で表される化合物について説明する。
【０１１１】
【化１４】
2007088105.tif 000015
【０１１２】
一般式（４−Ａ）中、ＲD3、ＲD4は、それぞれ独立に、水素原子または置換基を表し、ＲD1、ＲD2はそれぞれ置換基を表す。ＲD1、ＲD2、ＲD3、及びＲD4が表す置換基としては、前記一般式（４）におけるＲB5、ＲB6が表す置換基と同義であり、好ましい範囲も同様である。ｎD1、ｎD2は０〜４の整数を表し、ＲD1、ＲD2をそれぞれ複数個有する場合、複数個のＲD1、ＲD2は同じであっても異なってもよく、連結して環を形成してもよい。ＹD1は１，２位で置換したビニル基、フェニレン環、ピリジン環、ピラジン環、ピリミジン環または炭素数１〜８のアルキレン基を表す。
【０１１３】
本発明における３座配位子を有する金属錯体の好ましい形態は、下記一般式（５）で表される化合物である。
一般式（５）で表される化合物について説明する。
【０１１４】
【化１５】
2007088105.tif 000016
【０１１５】
一般式（５）中、Ｍ81は前記一般式（Ｉ）におけるＭ11と同義であり、好ましい範囲も同じである。
【０１１６】
Ｌ81、Ｌ82、及びＬ83は、それぞれ独立に、前記一般式（Ｉ）におけるＬ11、Ｌ12、Ｌ14と同義であり、好ましい範囲も同じである。
【０１１７】
Ｙ81、Ｙ82は、それぞれ独立に、前記一般式（Ｉ）におけるＹ11、Ｙ12と同義であり、好ましい範囲も同じである。
【０１１８】
Ｌ85はＭ81に配位する配位子を表す。Ｌ85は１〜３座の配位子が好ましく、１〜３座のアニオン性配位子がより好ましい。１〜３座のアニオン性配位子としては特に限定されないが、ハロゲン配位子、Ｌ81、Ｙ81、Ｌ82、Ｙ82、Ｌ83で形成される３座配位子が好ましく、Ｌ81、Ｙ81、Ｌ82、Ｙ82、Ｌ83で形成される３座配位子がより好ましい。Ｌ85が金属を介さずにＬ81、Ｌ83と連結することはない。配位座の数、及び配位子の数が、金属の配位数を上回ることはない。
【０１１９】
ｎ81は０〜５を表す。Ｍ81が配位数４の金属の場合、ｎ81は１であり、Ｌ85は単座配位子を表す。Ｍ81が配位数６の金属の場合、ｎ81は１〜３が好ましく、１、３がより好ましく、１がさらに好ましい。Ｍ81が配位数６でｎ81が１の場合Ｌ85は３座配位子を表し、Ｍ81が配位数６でｎ81が２の場合Ｌ85は単座配位子１つと２座配位子１つを表し、Ｍ81が配位数６でｎ81が３の場合Ｌ85は単座配位子を表す。Ｍ81が配位数８の金属の場合、ｎ81は１〜５が好ましく、１、２がより好ましく、１がより好ましい。Ｍ81が配位数８でｎ81が１の場合Ｌ85は５座配位子を表し、ｎ81が２の場合Ｌ85は３座配位子１つと２座配位子１つを表し、ｎ81が３の場合Ｌ85は３座配位子１つと単座配位子２つ、または、２座配位子２つと単座配位子１つを表し、ｎ81が４の場合Ｌ85は２座配位子１つと単座配位子３つを表し、ｎ81が５の場合Ｌ85は単座配位子５つを表す。ｎ81が複数のときは、複数のＬ85は同じであっても異なっていてもよい。
【０１２０】
前記一般式（５）の好ましい形態は、前記一般式（５）のＬ81、Ｌ82、Ｌ83が炭素原子でＭ81に配位する芳香族炭素環またはヘテロ環、または窒素原子でＭ81に配位する含窒素ヘテロ環を表し、Ｌ81、Ｌ82、Ｌ83のうち少なくとも一つが含窒素ヘテロ環である。これら炭素原子で配位する芳香族炭素環、ヘテロ環および窒素原子で配位する含窒素ヘテロ環は前記一般式（Ｉ）で説明したＭ11に炭素原子で配位する配位子および窒素原子で配位する例が挙げられ、好ましい範囲も同様である。Ｙ81、Ｙ82は好ましくは単結合ないしはメチレン基を表す。
前記一般式（５）で表される化合物の他の好ましい形態は、下記一般式（５−Ａ）で表される化合物、及び下記一般式（５−Ｂ）で表される化合物である。
先ず、一般式（５−Ａ）で表される化合物について説明する。
【０１２１】
【化１６】
2007088105.tif 000017
【０１２２】
一般式（５−Ａ）中、Ｍ91は前記一般式（５）におけるＭ81と同義であり、好ましい範囲も同じである。
【０１２３】
Ｑ91、Ｑ92は含窒素へテロ環（Ｍ91に配位する窒素を含む環）を形成する基を表す。Ｑ91、Ｑ92で形成される含窒素ヘテロ環としては特に限定されないが、例えば、ピリジン環、ピラジン環、ピリミジン環、ピリダジン環、トリアジン環、チアゾール環、オキサゾール環、ピロール環、ピラゾール環、イミダゾール環、トリアゾール環、及び、それらを含む縮環体（例えば、キノリン環、ベンズオキサゾール環、ベンズイミダゾール環、インドレニン環など）及び、これらの互変異性体が挙げられる。
【０１２４】
Ｑ91、Ｑ92で形成される含窒素ヘテロ環は、好ましくは、ピリジン環、ピラゾール環、チアゾール環、イミダゾール環、ピロール環、及び、それらを含む縮環体（例えば、キノリン環、ベンズチアゾール環、ベンズイミダゾール環、インドレニン環など）、及び、これらの互変異性体であり、より好ましくはピリジン環、ピロール環、及び、それらを含む縮環体（例えば、キノリン環など）、及び、これらの互変異性体、さらに好ましくは、ピリジン環、及び、それらを含む縮環体（例えば、キノリン環など）であり、特に好ましくはピリジン環である。
【０１２５】
Ｑ93は含窒素へテロ環（Ｍ91に配位する窒素を含む環）を形成する基を表す。Ｑ93で形成される含窒素ヘテロ環としては特に限定されないが、ピロール環、イミダゾール環、トリアゾール環の互変異性体、及び、それらを含む縮環体（例えばベンズピロールなど）が好ましく、ピロール環の互変異性体及びピロール環を含む縮環体（例えばベンズピロールなど）の互変異性体がより好ましい。
【０１２６】
Ｗ91、Ｗ92は、それぞれ独立に、前記一般式（２）におけるＷ51、Ｗ52と同義であり、好ましい範囲も同じである。
【０１２７】
Ｌ95は前記一般式（５）におけるＬ85と同義であり、好ましい範囲も同じである。
【０１２８】
ｎ91は前記一般式（５）におけるｎ81と同義であり、好ましい範囲も同じである。
【０１２９】
一般式（５−Ｂ）で表される化合物について説明する。
【０１３０】
【化１７】
2007088105.tif 000018
【０１３１】
一般式（５−Ｂ）中、Ｍ101は、前記一般式（５）におけるＭ81と同義であり、好まし
い範囲も同じである。
【０１３２】
Ｑ102は、前記一般式（１）におけるＱ21と同義であり、好ましい範囲も同じである。
【０１３３】
Ｑ101は前記一般式（５−Ａ）におけるＱ91と同義であり、好ましい範囲も同じである
。
【０１３４】
Ｑ103は芳香環を形成する基を表す。Ｑ103で形成される芳香環としては特に限定されないが、ベンゼン環、フラン環、チオフェン環、ピロール環、及び、それらを含む縮環体（例えば、ナフタレン環など）が好ましく、ベンゼン環及びベンゼン環を含む縮環体（例えば、ナフタレン環など）がより好ましく、ベンゼン環が特に好ましい。
【０１３５】
Ｙ101、Ｙ102は、それぞれ独立に、前記一般式（１）におけるＹ22と同義であり、好ましい範囲も同じである。
【０１３６】
Ｌ105は前記一般式（５）におけるＬ85と同義であり、好ましい範囲も同じである。
【０１３７】
ｎ101は前記一般式（５）におけるｎ81と同義であり、好ましい範囲も同じである。
【０１３８】
Ｘ101は前記一般式（１）におけるＸ21と同義であり、好ましい範囲も同じである。
【０１３９】
本発明における三座配位子を有する金属錯体の他の好ましい態様は、下記一般式（ＩＩ）で表される化合物である。
【０１４０】
【化１８】
2007088105.tif 000019
【０１４１】
一般式（ＩＩ）中、ＭX1は金属イオンを表す。ＱX11〜ＱX16はＭX1に配位する原子またはＭX1に配位する原子を含んだ原子群を表す。ＬX11〜ＬX14は単結合、二重結合または連結基を表す。すなわち、ＱX11−ＬX11−ＱX12−ＬX12−ＱX13からなる原子群およびＱX14−ＬX13−ＱX15−ＬX14−ＱX16からなる原子群はそれぞれ三座の配位子である。ＭX1とＱX11〜ＱX16との結合は、それぞれ配位結合、イオン結合、共有結合のいずれでもよい。
【０１４２】
一般式（ＩＩ）で表される化合物について詳細に説明する。
一般式（ＩＩ）中、ＭX1は金属イオンを表す。金属イオンとしては特に限定されないが、１価〜３価の金属イオンが好ましく、２価又は３価の金属イオンがより好ましく、３価の金属イオンがさらに好ましい。具体的には、白金イオン、イリジウムイオン、レニウムイオン、パラジウムイオン、ロジウムイオン、ルテニウムイオン、銅イオン、ユーロピウムイオン、ガドリニウムイオン、テルビウムイオンが好ましく、イリジウムイオン、ユーロピウムイオンがより好ましく、イリジウムイオンがさらに好ましい。
【０１４３】
ＱX11〜ＱX16は、ＭX1に配位する原子又はＭX1に配位する原子を含んだ原子群を表す。
ＱX11〜ＱX16がＭX1に配位する原子を表す場合、その具体的な原子としては、炭素原子、窒素原子、酸素原子、珪素原子、リン原子、硫黄原子などが挙げられ、好ましくは窒素原子、酸素原子、硫黄原子、リン原子であり、より好ましくは窒素原子、酸素原子である。
ＱX11〜ＱX16がＭX1に配位する原子を含んだ原子群を表す場合、ＭX1に炭素原子で配位するものとしては、例えば、イミノ基、芳香族炭化水素環基（ベンゼン、ナフタレンなど）、ヘテロ環基（チオフェン、ピリジン、ピラジン、ピリミジン、ピリダジン、トリアジン、チアゾール、オキサゾール、ピロール、イミダゾール、ピラゾール、トリアゾールなど）およびこれらを含む縮合環、およびこれらの互変異性体が挙げられる。
【０１４４】
ＭX1に窒素原子で配位するものとしては、例えば、含窒素ヘテロ環基（ピリジン、ピラジン、ピリミジン、ピリダジン、トリアジン、チアゾール、オキサゾール、ピロール、イミダゾール、ピラゾール、トリアゾールなど）、アミノ基（アルキルアミノ基（好ましくは炭素数２〜３０、より好ましくは炭素数２〜２０、特に好ましくは炭素数２〜１０であり、例えばメチルアミノ）、アリールアミノ基（例えばフェニルアミノ）などが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、イミノ基などが挙げられる。これらの基はさらに置換されていてもよい。
【０１４５】
ＭX1に酸素原子で配位するものとしては、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）、カルボニル基（例えばケトン基、エステル基、アミド基など）、エーテル基（例えばジアルキルエーテル基、ジアリールエーテル基、フリル基など）などが挙げられる。
【０１４６】
ＭX1に珪素原子で配位するものとしては、アルキルシリル基（好ましくは炭素数３〜３０であり、たとえば、トリメチルシリル基などが挙げられる。）、アリールシリル基（好ましくは炭素数１８〜３０であり、例えば、トリフェニルシリル基などが挙げられる。）等があげられる。これらの基はさらに置換されてもよい。
【０１４７】
ＭX1に硫黄原子で配位するものとしては、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミダゾリルチオ、２−ベンズオキサゾリルチオ、２−ベンズチアゾリルチオなどが挙げられる。）、チオカルボニル基（例えばチオケトン基、チオエステル基など）、チオエーテル基（例えばジアルキルチオエーテル基、ジアリールチオエーテル基、チオフリル基など）などが挙げられる。
【０１４８】
ＭX1にリン原子で配位するものとしては、ジアルキルホスフィノ基、ジアリールホスフィノ基、トリアルキルホスフィン、トリアリールホスフィン、ホスフィニン基等があげられる。これらの基はさらに置換されてもよい。
【０１４９】
ＱX11〜ＱX16で表される原子群として好ましくは、ＭX1に、炭素原子で配位する芳香族炭化水素環基、炭素原子で配位する芳香族ヘテロ環基、窒素原子で配位する含窒素芳香族ヘテロ環基、アルキルオキシ基、アリールオキシ基、アルキルチオ基、アリールチオ基、ジアルキルホスフィノ基であり、より好ましくは炭素原子で配位する芳香族炭化水素環基、炭素原子で配位する芳香族ヘテロ環基、窒素原子で配位する含窒素芳香族ヘテロ環基である。
ＭX1とＱX11〜ＱX16との結合は、それぞれ配位結合でも共有結合でもよい。
【０１５０】
一般式（ＩＩ）中、ＬX11〜ＬX14は、単結合、二重結合、又は連結基を表す。連結基としては特に限定されないが、炭素原子、窒素原子、酸素原子、硫黄原子、ケイ素原子から選択される原子を含んで構成される連結基が好ましい。該連結基の具体例を下記に示すが、これらに限定されることはない。
【０１５１】
【化１９】
2007088105.tif 000020
【０１５２】
これらの連結基はさらに置換されてもよく、置換基としては前記一般式（２）におけるＲ21〜Ｒ24で表される置換基として挙げたものが適用でき、好ましい範囲も同様である。ＬX11〜ＬX14として好ましくは、単結合、ジメチルメチレン基、ジメチルシリレン基である。
【０１５３】
一般式（ＩＩ）で表される化合物のうち、より好ましくは下記一般式（Ｘ２）で表される化合物であり、更に好ましくは下記一般式（Ｘ３）で表される化合物である。
先ず、一般式（Ｘ２）で表される化合物について説明する。
【０１５４】
【化２０】
2007088105.tif 000021
【０１５５】
一般式（Ｘ２）中、ＭX2は金属イオンを表す。ＹX21〜ＹX26はＭX2に配位する原子を表し、ＱX21〜ＱX26は、それぞれＹX21〜ＹX26と共に芳香環もしくは芳香族ヘテロ環を形成する原子群を表す。ＬX21〜ＬX24は単結合、二重結合または連結基を表す。ＭX2とＹX21〜ＹX26との結合は、それぞれ配位結合でも共有結合でもよい。
【０１５６】
一般式（Ｘ２）で表される化合物について詳細に説明する。
一般式（Ｘ２）中、ＭX2は、前記一般式（ＩＩ）におけるＭX1と同義であり、また好ましい範囲も同様である。ＹX21〜ＹX26はＭX2に配位する原子を表す。ＹX21〜ＹX26とＭX2
との結合は配位結合でも共有結合でもよい。ＹX21〜ＹX26としては、炭素原子、窒素原子、酸素原子、硫黄原子、りん原子、ケイ素原子が挙げられ、好ましくは炭素原子、窒素原子である。ＱX21〜ＱX26は、それぞれＹX21〜ＹX26を含んで芳香族炭化水素環または芳香族ヘテロ環を形成する原子群を表す。この場合に形成する芳香族炭化水素環、芳香族ヘテロ環としては、ベンゼン環、ピリジン環、ピラジン環、ピリミジン環、ピリダジン環、トリアジン環、ピロール環、ピラゾール環、イミダゾール環、トリアゾール環、オキサゾール環、チアゾール環、オキサジアゾール環、チアジアゾール環、チオフェン環、フラン環が挙げられ、好ましくはベンゼン環、ピリジン環、ピラジン環、ピリミジン環、ピラゾール環、イミダゾール環、トリアゾール環であり、さらに好ましくはベンゼン環、ピリジン環、ピラジン環、ピラゾール環、トリアゾール環であり、特に好ましくはベンゼン環、ピリジン環である。これらはさらに縮環を有していても置換基を有していても良い。
【０１５７】
ＬX21〜ＬX24は前記一般式（ＩＩ）におけるＬX11〜ＬX14と同義であり好ましい範囲も同様である。
【０１５８】
前記一般式（ＩＩ）で表される化合物は、さらに好ましくは下記一般式（Ｘ３）で表される化合物である。
一般式（Ｘ３）について説明する。
【０１５９】
【化２１】
2007088105.tif 000022
【０１６０】
一般式（Ｘ３）中、ＭX3は金属イオンを表す。ＹX31〜ＹX36は、炭素原子、窒素原子、リン原子を表す。ＬX31〜ＬX34は単結合、二重結合または連結基を表す。ＭX3とＹX31〜ＹX36との結合は、それぞれ配位結合でも共有結合でもよい。
【０１６１】
ＭX3は前記一般式（ＩＩ）におけるＭX1と同義であり、また好ましい範囲も同様である。ＹX31〜ＹX36はＭX3に配位する原子を表す。ＹX31〜ＹX36とＭX3との結合は配位結合でも共有結合でも良い。ＹX31〜ＹX36としては、炭素原子、窒素原子、りん原子が挙げられ、好ましくは炭素原子、窒素原子である。ＬX31〜ＬX34は前記一般式（ＩＩ）におけるＬX11〜ＬX14と同義であり好ましい範囲も同様である。
【０１６２】
前記一般式（Ｉ）、一般式（ＩＩ）、及び一般式（５）で表される化合物の具体例としては、特願２００４−１６２８４９号明細書に記載の化合物（１）〜化合物（２４２）、及び化合物（２４３）〜（２４７）（以下に構造を示す。）が挙げられるが、これらに限定されるものではない。
【０１６３】
【化２２】
2007088105.tif 000023
【０１６４】
【化２３】
2007088105.tif 000024
【０１６５】
【化２４】
2007088105.tif 000025
【０１６６】
【化２５】
2007088105.tif 000026
【０１６７】
【化２６】
2007088105.tif 000027
【０１６８】
【化２７】
2007088105.tif 000028
【０１６９】
【化２８】
2007088105.tif 000029
【０１７０】
【化２９】
2007088105.tif 000030
【０１７１】
【化３０】
2007088105.tif 000031
【０１７２】
【化３１】
2007088105.tif 000032
【０１７３】
【化３２】
2007088105.tif 000033
【０１７４】
【化３３】
2007088105.tif 000034
【０１７５】
【化３４】
2007088105.tif 000035
【０１７６】
【化３５】
2007088105.tif 000036
【０１７７】
【化３６】
2007088105.tif 000037
【０１７８】
【化３７】
2007088105.tif 000038
【０１７９】
【化３８】
2007088105.tif 000039
【０１８０】
【化３９】
2007088105.tif 000040
【０１８１】
【化４０】
2007088105.tif 000041
【０１８２】
【化４１】
2007088105.tif 000042
【０１８３】
【化４２】
2007088105.tif 000043
【０１８４】
【化４３】
2007088105.tif 000044
【０１８５】
【化４４】
2007088105.tif 000045
【０１８６】
【化４５】
2007088105.tif 000046
【０１８７】
【化４６】
2007088105.tif 000047
【０１８８】
【化４７】
2007088105.tif 000048
【０１８９】
【化４８】
2007088105.tif 000049
【０１９０】
上記化合物例で代表される化合物のうち、ビピリジル又はフェナントロリンを部分構造に含む４座配位子、シッフ塩基型４座配位子、フェニルビピリジル３座配位子、ジフェニルピリジン３座配位子、ターピリジン３座配位子から選ばれる配位子を有する化合物を除いた化合物がより好ましい。
【０１９１】
（本発明における金属錯体の合成方法）
本発明における金属錯体〔前記一般式（Ｉ）、（１）、（１−Ａ）、（２）、（３）、（３−Ａ）、（３−Ｂ）、（３−Ｃ）、（４）、（４−Ａ）、（５）、（５−Ａ）、及び（５−Ｂ）、並びに前記一般式（ＩＩ）、（Ｘ２）、及び（Ｘ３）で表される化合物〕は、種々の手法で合成できる。
例えば、配位子、またはその解離体と金属化合物を溶媒（例えば、ハロゲン系溶媒、アルコール系溶媒、エーテル系溶媒、エステル系溶媒、ケトン系溶媒、ニトリル系溶媒、アミド系溶媒、スルホン系溶媒、スルホキサイド系溶媒、水などが挙げられる）の存在下、もしくは、溶媒非存在下、塩基の存在下（無機、有機の種々の塩基、例えば、ナトリウムメトキサイド、ｔ−ブトキシカリウム、トリエチルアミン、炭酸カリウムなどが挙げられる）、もしくは、塩基非存在下、室温以下、もしくは加熱し（通常の加熱以外にもマイクロウェーブで加熱する手法も有効である）得ることができる。
【０１９２】
本発明の金属錯体を合成する際の反応時間は反応原料の活性により異なり、特に限定されないが、１分以上５日以下が好ましく、５分以上３日以下がより好ましく、１０分以上１日以下がさらに好ましい。
【０１９３】
本発明の金属錯体合成の反応温度は反応の活性により異なり、特に限定されないが、０℃以上３００℃以下が好ましく、５℃以上２５０℃以下がより好ましく、１０℃以上２００℃以下がさらに好ましい。
【０１９４】
本発明の金属錯体は、目的とする錯体の部分構造を形成している配位子を適宜選択することで、前記一般式（Ｉ）、（１）、（１−Ａ）、（２）、（３）、（３−Ａ）、（３−Ｂ）、（３−Ｃ）、（４）、（４−Ａ）、（５）、（５−Ａ）、及び（５−Ｂ）、並びに前記一般式（ＩＩ）、（Ｘ２）、及び（Ｘ３）で表される化合物で表される化合物は合成できる。
例えば、一般式（１−Ａ）で表される化合物を合成する際は、６，６'−ビス（２−ヒ
ドロキシフェニル）−２，２'−ビピリジル配位子またはその誘導体（例えば、２，９−
ビス（２−ヒドロキシフェニル）−１，１０−フェナントロリン配位子、２，９−ビス（２−ヒドロキシフェニル）−４，７−ジフェニル−１，１０−フェナントロリン配位子、６，６'−ビス（２−ヒドロキシ−５−ｔｅｒｔ−ブチルフェニル）−２，２'−ビピリジル配位子など）などを、金属化合物に対し、好ましくは０．１当量〜１０当量、より好ましくは０．３当量〜６当量、さらに好ましくは０．５当量〜４当量加えて合成できる。一般式（１−Ａ）で表される化合物の合成方法において、反応溶媒、反応時間、反応温度の各々は、上記本発明の金属錯体の合成方法で述べた事項と同様である。
【０１９５】
６，６'−ビス（２−ヒドロキシフェニル）−２，２'−ビピリジル配位子の誘導体は種々の公知の方法を用いて合成することができる。
例えば、２，２'−ビピリジル誘導体（例えば、１，１０−フェナントロリンなど）と
アニソール誘導体（例えば、４−フルオロアニソールなど）をＪｏｕｒｎａｌ  ｏｆ  Ｏｒｇａｎｉｃ  Ｃｈｅｍｉｓｔｒｙ，  ７４１，  １１，（１９４６）に記載の方法で反応させることにより合成することができる。また、ハロゲン化された２，２'−ビピリジ
ル誘導体（例えば、２，９−ジブロモ−１，１０−フェナントロリンなど）と２−メトキシフェニルボロン酸誘導体など（例えば、２−メトキシ−５−フルオロフェニルボロン酸など）を出発物質として鈴木カップリング反応を行った後、メチル基を脱保護する（Ｊｏｕｒｎａｌ  ｏｆ  Ｏｒｇａｎｉｃ  Ｃｈｅｍｉｓｔｒｙ，  ７４１，  １１，（１９４６）に記載の方法、ピリジン塩酸塩中で加熱するなどの方法を用いる）ことにより合成することができる。また、２，２'−ビピリジルボロン酸誘導体（例えば６，６'−ビス（４，４，５，５−テトラメチル−１，３，２−ジオキサボロリル）−２，２'−ビピリジル
など）とハロゲン化されたアニソール誘導体（例えば２−ブロモアニソールなど）を出発物質として鈴木カップリング反応を行った後、メチル基を脱保護する（Ｊｏｕｒｎａｌ  ｏｆ  Ｏｒｇａｎｉｃ  Ｃｈｅｍｉｓｔｒｙ，  ７４１，  １１，（１９４６）に記載の方法、または、ピリジン塩酸塩中で加熱するなどの方法を用いる）ことによっても合成することができる。
【０１９６】
以下、下記一般式（ＩＩＩ）で表される化合物について説明する。
【０１９７】
【化４９】
2007088105.tif 000050
【０１９８】
一般式（ＩＩＩ）中、Ｑ11は含窒素へテロ環を形成する原子群を表し、Ｚ11、Ｚ12、Ｚ13はそれぞれ置換又は無置換の、炭素原子又は窒素原子を表し、ＭY1は更に配位子を有しても良い金属イオンを表す。
【０１９９】
一般式（ＩＩＩ）中、Ｑ11は、Ｑ11が結合する炭素原子２つとこれらの炭素原子に直接結合している窒素原子とを含んで、含窒素へテロ環を形成する原子群を表す。Ｑ11で形成される含窒素へテロ環の環員数としては特に限定されないが、環員数１２〜２０が好ましく、環員数１４〜１６がより好ましく、環員数１６がさらに好ましい。
【０２００】
Ｚ11、Ｚ12、及びＺ13はそれぞれ独立に、置換又は無置換の、炭素原子又は窒素原子を表す。Ｚ11、Ｚ12、及びＺ13の組合せとしては、Ｚ11、Ｚ12、及びＺ13の少なくとも１つが窒素原子であることが好ましい。
【０２０１】
炭素原子上の置換基としては、例えば、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、
【０２０２】
アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、
【０２０３】
アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、
【０２０４】
アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、
【０２０５】
カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミダゾリルチオ、２−ベンズオキサゾリルチオ、２−ベンズチアゾリルチオなどが挙げられる。）、
【０２０６】
スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、
【０２０７】
シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。これらの置換基は更に置換されてもよい。
これらの置換基の中でも、炭素原子上の置換基としては、アルキル基、アリール基、ヘテロ環基、ハロゲン原子が好ましく、より好ましくはアリール基、ハロゲン原子であり、さらに好ましくはフェニル基、フッ素原子である。
【０２０８】
窒素原子上の置換基としては、前記炭素原子上の置換基として例示した置換基が挙げられ、好ましい範囲も同じである。
【０２０９】
一般式（ＩＩＩ）中、ＭY1は配位子を更に有してもよい金属イオンを表し、他に配位子を有さない金属イオンがより好ましい。
【０２１０】
ＭY1で表される金属イオンとしては特に限定されないが、２価または３価の金属イオンが好ましい。２価または３価の金属イオンとしては、コバルトイオン、マグネシウムイオン、亜鉛イオン、パラジウムイオン、ニッケルイオン、銅イオン、白金イオン、鉛イオン、アルミニウムイオン、イリジウムイオン、ユーロピウムイオンが好ましく、コバルトイオン、マグネシウムイオン、亜鉛イオン、パラジウムイオン、ニッケルイオン、銅イオン、白金イオン、鉛イオンがより好ましく、銅イオン、白金イオンがさらに好ましく、白金イオンが特に好ましい。ＭY1は、Ｑ11に含まれる原子と結合していても結合していなくてもよく、結合している方が好ましい。
【０２１１】
ＭY1が、さらに有していてもよい配位子としては、特に限定されないが、単座、もしくは、２座の配位子が好ましく、２座の配位子がより好ましい。配位する原子としては、特に限定されないが、酸素原子、硫黄原子、窒素原子、炭素原子、りん原子が好ましく、酸素原子、窒素原子、炭素原子がより好ましく、酸素原子、窒素原子がさらに好ましい。
【０２１２】
前記一般式（ＩＩＩ）で表される化合物の好ましい例は、下記一般式（ａ）〜（ｊ）で表される化合物、又はそれらの互変異性体である。
一般式（ＩＩＩ）で表される化合物はとしては、一般式（ａ）及び一般式（ｂ）で表される化合物またはその互変異性体がより好ましく、一般式（ｂ）で表される化合物またはその互変異性体がより好ましい。
また、一般式（ＩＩＩ）で表される化合物としては、一般式（ｃ）または一般式（ｇ）で表される化合物も好ましい。
一般式（ｃ）で表される化合物としては、一般式（ｄ）で表される化合物またはその互変異性体、一般式（ｅ）で表される化合物またはその互変異性体、一般式（ｆ）で表される化合物またはその互変異性体が好ましく、一般式（ｄ）で表される化合物またはその互変異性体、一般式（ｅ）で表される化合物またはその互変異性体がより好ましく、一般式（ｄ）で表される化合物またはその互変異性体がさらに好ましい。
【０２１３】
一般式（ｇ）で表される化合物としては、一般式（ｈ）で表される化合物またはその互変異性体、一般式（ｉ）で表される化合物またはその互変異性体、一般式（ｊ）で表される化合物またはその互変異性体が好ましく、一般式（ｈ）で表される化合物またはその互変異性体、一般式（ｉ）で表される化合物またはその互変異性体がより好ましく、一般式（ｈ）表される化合物またはその互変異性体がさらに好ましい。
【０２１４】
以下、一般式（ａ）〜（ｊ）で表される化合物について詳細に説明する。
【０２１５】
【化５０】
2007088105.tif 000051
【０２１６】
一般式（ａ）で表される化合物について説明する。
一般式（ａ）中、Ｚ21、Ｚ22、Ｚ23、Ｚ24、Ｚ25、Ｚ26、Ｍ21はそれぞれ対応する前記一般式（ＩＩＩ）におけるＺ11、Ｚ12、Ｚ13、Ｚ11、Ｚ12、Ｚ13、ＭY1と同義であり、好ましい範囲も同じである。
【０２１７】
Ｑ21、Ｑ22はそれぞれ含窒素へテロ環を形成する基を表す。Ｑ21、Ｑ22で形成される含窒素ヘテロ環としては特に限定されないが、ピロール環、イミダゾール環、トリアゾール環、及び、それらを含む縮環体（例えばベンズピロール）、及び、これらの互変異性体（例えば、後述の一般式（ｂ）において、Ｒ43、Ｒ44、Ｒ45、Ｒ46が置換している含窒素５員環はピロールの互変異性体と定義する）が好ましく、ピロール環及びピロール環を含む縮環体（例えば、ベンズピロール）がより好ましい。
【０２１８】
Ｘ21、Ｘ22、Ｘ23、Ｘ24は、それぞれ独立に、置換または無置換の、炭素原子又は窒素原子を表し、無置換の、炭素原子、窒素原子が好ましく、窒素原子がより好ましい。
【０２１９】
一般式（ｂ）で表される化合物について説明する。
【０２２０】
【化５１】
2007088105.tif 000052
【０２２１】
一般式（ｂ）中、Ｚ41、Ｚ42、Ｚ43、Ｚ44、Ｚ45、Ｚ46、Ｘ41、Ｘ42、Ｘ43、Ｘ44、Ｍ41は前記一般式（ａ）におけるＺ21、Ｚ22、Ｚ23、Ｚ24、Ｚ25、Ｚ26、Ｘ21、Ｘ22、Ｘ23、Ｘ24、Ｍ21と同義であり、好ましい範囲も同じである。
【０２２２】
Ｒ43、Ｒ44、Ｒ45、Ｒ46はそれぞれ独立に水素原子、または前記一般式（ＩＩＩ）におけるＺ11又はＺ12上の置換基として例示したアルキル基、アリール基、Ｒ43とＲ44またはＲ45とＲ46が結合して環構造（例えば、ベンゾ縮環、ピリジン縮環など）を形成する基が好ましく、アルキル基、アリール基、Ｒ43とＲ44またはＲ45とＲ46が結合して環構造（例えば、ベンゾ縮環、ピリジン縮環など）を形成する基がより好ましく、Ｒ43とＲ44またはＲ45とＲ46が結合して環構造（例えば、ベンゾ縮環、ピリジン縮環など）を形成する基がさらに好ましい。
【０２２３】
Ｒ43、Ｒ44、Ｒ45、Ｒ46はそれぞれ独立に水素原子または置換基を表す。置換基としては前記一般式（ＩＩＩ）におけるＺ11又はＺ12について炭素原子上の置換基で説明した基が挙げられる。
【０２２４】
一般式（ｃ）で表される化合物について説明する。
【０２２５】
【化５２】
2007088105.tif 000053
【０２２６】
一般式（ｃ）中、Ｚ101、Ｚ102、Ｚ103はそれぞれ独立に置換又は無置換の、炭素原子又は窒素原子を表す。Ｚ101、Ｚ102、Ｚ103の少なくとも一つが窒素原子であることが好ましい。
【０２２７】
Ｌ101、Ｌ102、Ｌ103、Ｌ104はそれぞれ独立に単結合または連結基を表す。連結としては特に限定されないが、例えば、カルボニル連結基、アルキレン基、アルケニレン基、アリーレン基、ヘテロアリーレン基、含窒素ヘテロ環連結基、酸素原子連結基、アミノ連結基、イミノ連結基、カルボニル連結基、及び、これらの組み合わせからなる連結基などが挙げられる。
【０２２８】
Ｌ101、Ｌ102、Ｌ103、Ｌ104はそれぞれ独立に単結合、アルキレン基、アルケニレン基、アミノ連結基、イミノ連結基が好ましく、単結合、アルキレン連結基、アルケニレン連結基、イミノ連結基がより好ましく、単結合、アルキレン連結基がさらに好ましい。
【０２２９】
Ｑ101、Ｑ103はそれぞれ独立にＭ101に炭素原子で配位する基、窒素原子で配位する基
、りん原子で配位する基、酸素原子で配位する基、または、硫黄原子で配位する基を表す。
【０２３０】
Ｍ101に炭素原子で配位する基としては、炭素原子で配位するアリール基、炭素原子で配位する５員環へテロアリール基、炭素原子で配位する６員環へテロアリール基が好ましく、炭素原子で配位するアリール基、炭素原子で配位する含窒素５員環へテロアリール基、炭素原子で配位する含窒素６員環へテロアリール基がより好ましく、炭素原子で配位するアリール基がさらに好ましい。
【０２３１】
Ｍ101に窒素原子で配位する基としては、窒素原子で配位する含窒素５員環へテロアリ
ール基、窒素原子で配位する含窒素６員環へテロアリール基が好ましく、窒素原子で配位する含窒素６員環へテロアリール基がより好ましい。
【０２３２】
Ｍ101にりん原子で配位する基としては、りん原子で配位するアルキルホスフィン基、
りん原子で配位するアリールホスフィン基、りん原子で配位するアルコキシホスフィン基、りん原子で配位するアリールオキシホスフィン基、りん原子で配位するヘテロアリールオキシホスフィン基、りん原子で配位するホスフィニン基、りん原子で配位するホスホール基が好ましく、りん原子で配位するアルキルホスフィン基、りん原子で配位するアリールホスフィン基がより好ましい。
【０２３３】
Ｍ101に酸素原子で配位する基としては、オキシ基、酸素原子で配位するカルボニル基
が好ましく、オキシ基がさらに好ましい。
【０２３４】
Ｍ101に硫黄原子で配位する基としては、スルフィド基、チオフェン基、チアゾール基
が好ましく、チオフェン基がより好ましい。
【０２３５】
Ｑ101、Ｑ103はＭ101に炭素原子で配位する基、窒素原子で配位する基、酸素原子で配位する基が好ましく、炭素原子で配位する基、窒素原子で配位する基がより好ましく、炭素原子で配位する基がさらに好ましい。
【０２３６】
Ｑ102はＭ101に窒素原子で配位する基、りん原子で配位する基、酸素原子で配位する基、または、硫黄原子で配位する基を表し、窒素原子で配位する基がより好ましい。
【０２３７】
Ｍ101は前記一般式（Ｉ）におけるＭ11と同義であり、好ましい範囲も同じである。
【０２３８】
一般式（ｄ）で表される化合物について説明する。
【０２３９】
【化５３】
2007088105.tif 000054
【０２４０】
一般式（ｄ）中、Ｚ201、Ｚ202、Ｚ203、Ｚ207、Ｚ208、Ｚ209、Ｌ201、Ｌ202、Ｌ203、Ｌ204、Ｍ201はそれぞれ対応する前記一般式（ｃ）におけるＺ101、Ｚ102、Ｚ103、Ｚ101、Ｚ102、Ｚ103、Ｌ101、Ｌ102、Ｌ103、Ｌ104、Ｍ101と同義であり、好ましい範囲も同じである。Ｚ204、Ｚ205、Ｚ206、Ｚ210、Ｚ211、Ｚ212はそれぞれ置換または無置換の炭素原子又は窒素原子を表し、置換または無置換の炭素原子が好ましい。
【０２４１】
一般式（ｅ）で表される化合物について説明する。
【０２４２】
【化５４】
2007088105.tif 000055
【０２４３】
一般式（ｅ）中、Ｚ301、Ｚ302、Ｚ303、Ｚ304、Ｚ305、Ｚ306、Ｚ307、Ｚ308、Ｚ309、Ｚ310、Ｌ301、Ｌ302、Ｌ303、Ｌ304、Ｍ301は、それぞれ対応する前記一般式（ｄ）、（ｃ）におけるＺ201、Ｚ202、Ｚ203、Ｚ204、Ｚ206、Ｚ207、Ｚ208、Ｚ209、Ｚ210、Ｚ212、Ｌ101、Ｌ102、Ｌ103、Ｌ104、Ｍ101と同義であり、好ましい範囲も同じである。
【０２４４】
一般式（ｆ）で表される化合物について説明する。
【０２４５】
【化５５】
2007088105.tif 000056
【０２４６】
一般式（ｆ）中、Ｚ401、Ｚ402、Ｚ403、Ｚ404、Ｚ405、Ｚ406、Ｚ407、Ｚ408、Ｚ409、Ｚ410、Ｚ411、Ｚ412、Ｌ401、Ｌ402、Ｌ403、Ｌ404、Ｍ401は、それぞれ対応する前記一般式（ｄ）、（ｃ）におけるＺ201、Ｚ202、Ｚ203、Ｚ204、Ｚ205、Ｚ206、Ｚ207、Ｚ208、Ｚ209、Ｚ210、Ｚ211、Ｚ212、Ｌ101、Ｌ102、Ｌ103、Ｌ104、Ｍ101と同義であり、好ましい範囲も同じである。
Ｘ401、Ｘ402はそれぞれ独立に酸素原子、置換又は無置換の窒素原子、硫黄原子を表し、酸素原子、置換窒素原子が好ましく、酸素原子がより好ましい。
【０２４７】
一般式（ｇ）で表される化合物について説明する
【０２４８】
【化５６】
2007088105.tif 000057
【０２４９】
一般式（ｇ）中、Ｚ501、Ｚ502、Ｚ503、Ｌ501、Ｌ502、Ｌ503、Ｌ504、Ｑ501、Ｑ502、Ｑ503、Ｍ501は、それぞれ対応する前記一般式（ｃ）におけるＺ101、Ｚ102、Ｚ103、Ｌ101、Ｌ102、Ｌ103、Ｌ104、Ｑ101、Ｑ103、Ｑ102、Ｍ101と同義であり、好ましい範囲も同じである。
【０２５０】
一般式（ｈ）で表される化合物について説明する。
【０２５１】
【化５７】
2007088105.tif 000058
【０２５２】
一般式（ｈ）中、Ｚ601、Ｚ602、Ｚ603、Ｚ604、Ｚ605、Ｚ606、Ｚ607、Ｚ608、Ｚ609、Ｚ610、Ｚ611、Ｚ612、Ｌ601、Ｌ602、Ｌ603、Ｌ604、Ｍ601は、それぞれ対応する前記一般式（ｄ）、（ｃ）におけるＺ201、Ｚ202、Ｚ203、Ｚ207、Ｚ208、Ｚ209、Ｚ204、Ｚ205、Ｚ206、Ｚ210、Ｚ211、Ｚ212、Ｌ101、Ｌ102、Ｌ103、Ｌ104、Ｍ101と同義であり、好ましい範囲も同じである。
【０２５３】
一般式（ｉ）で表される化合物について説明する。
【０２５４】
【化５８】
2007088105.tif 000059
【０２５５】
一般式（ｉ）中、Ｚ701、Ｚ702、Ｚ703、Ｚ704、Ｚ705、Ｚ706、Ｚ707、Ｚ708、Ｚ709、Ｚ710、Ｌ701、Ｌ702、Ｌ703、Ｌ704、Ｍ701はそれぞれ対応する前記一般式（ｄ）、（ｃ）におけるＺ201、Ｚ202、Ｚ203、Ｚ207、Ｚ208、Ｚ209、Ｚ204、Ｚ206、Ｚ210、Ｚ212、Ｌ101、Ｌ102、Ｌ103、Ｌ104、Ｍ101と同義であり、好ましい範囲も同じである。
【０２５６】
一般式（ｊ）で表される化合物について説明する。
【０２５７】
【化５９】
2007088105.tif 000060
【０２５８】
一般式（ｊ）中、Ｚ801、Ｚ802、Ｚ803、Ｚ804、Ｚ805、Ｚ806、Ｚ807、Ｚ808、Ｚ809、Ｚ810、Ｚ811、Ｚ812、Ｌ801、Ｌ802、Ｌ803、Ｌ804、Ｍ801、Ｘ801、Ｘ802は、それぞれ対応する前記一般式（ｄ）、（ｃ）、（ｆ）におけるＺ201、Ｚ202、Ｚ203、Ｚ207、Ｚ208、Ｚ209、Ｚ204、Ｚ205、Ｚ206、Ｚ210、Ｚ211、Ｚ212、Ｌ101、Ｌ102、Ｌ103、Ｌ104、Ｍ101、Ｘ401、Ｘ402と同義であり、好ましい範囲も同じである。
【０２５９】
一般式（ＩＩＩ）で表される化合物の具体例としては、特願２００４−８８５７５記載の化合物（２）〜化合物（８）、化合物（１５）〜化合物（２０）、化合物（２７）〜化合物（３２）、化合物（３６）〜化合物（３８）、化合物（４２）〜化合物（４４）、化合物（５０）〜化合物（５２）、及び、化合物（５７）〜化合物（１５４）（以下に構造を示す。）が挙げられるが、これらに限定されるものではない。
【０２６０】
【化６０】
2007088105.tif 000061
【０２６１】
【化６１】
2007088105.tif 000062
【０２６２】
【化６２】
2007088105.tif 000063
【０２６３】
【化６３】
2007088105.tif 000064
【０２６４】
【化６４】
2007088105.tif 000065
【０２６５】
【化６５】
2007088105.tif 000066
【０２６６】
【化６６】
2007088105.tif 000067
【０２６７】
【化６７】
2007088105.tif 000068
【０２６８】
【化６８】
2007088105.tif 000069
【０２６９】
【化６９】
2007088105.tif 000070
【０２７０】
【化７０】
2007088105.tif 000071
【０２７１】
【化７１】
2007088105.tif 000072
【０２７２】
【化７２】
2007088105.tif 000073
【０２７３】
【化７３】
2007088105.tif 000074
【０２７４】
【化７４】
2007088105.tif 000075
【０２７５】
【化７５】
2007088105.tif 000076
【０２７６】
【化７６】
2007088105.tif 000077
【０２７７】
【化７７】
2007088105.tif 000078
【０２７８】
【化７８】
2007088105.tif 000079
【０２７９】
さらに、本発明における金属錯体の好ましい例としては、下記一般式（Ａ−１）、下記一般式（Ｂ−１）、下記一般式（Ｃ−１）、下記一般式（Ｄ−１）、下記一般式（Ｅ−１）、及び下記一般式（Ｆ−１）で表される各化合物が挙げられる。
一般式（Ａ−１）について説明する。
【０２８０】
【化７９】
2007088105.tif 000080
【０２８１】
一般式（Ａ−１）中、ＭA1は金属イオンを表す。ＹA11、ＹA14、ＹA15およびＹA18は、それぞれ独立に炭素原子または窒素原子を表す。ＹA12、ＹA13、ＹA16およびＹA17はそれぞれ独立に置換または無置換の炭素原子、置換または無置換の窒素原子、酸素原子、硫黄原子を表す。ＬA11、ＬA12、ＬA13、ＬA14は連結基を表し、これらの連結基は、同一構造であっても異なる構造であっても良い。ＱA11、ＱA12はＭA1に共有結合で結合する原子を含有する部分構造を表す。
【０２８２】
一般式（Ａ−１）で表される化合物について、詳細に説明する。
ＭA1は金属イオンを表す。金属イオンとしては特に限定されることはないが、２価の金属イオンが好ましく、Ｐｔ2+、Ｐｄ2+、Ｃｕ2+、Ｎｉ2+、Ｃｏ2+、Ｚｎ2+、Ｍｇ2+、Ｐｂ2+が好ましく、Ｐｔ2+、Ｃｕ2+がより好ましく、Ｐｔ2+が特に好ましい。
ＹA11、ＹA14、ＹA15およびＹA18は、それぞれ独立に炭素原子または窒素原子を表す。ＹA11、ＹA14、ＹA15およびＹA18として好ましくは、炭素原子である。
ＹA12、ＹA13、ＹA16およびＹA17はそれぞれ独立に置換または無置換の炭素原子、置換または無置換の窒素原子、酸素原子、硫黄原子を表す。ＹA12、ＹA13、ＹA16およびＹA17
として好ましくは、置換または無置換の炭素原子、置換または無置換の窒素原子である。
ＬA11、ＬA12、ＬA13、ＬA14は二価の連結基を表す。ＬA11、ＬA12、ＬA13、ＬA14で表される二価の連結基としては、それぞれ独立に単結合のほか、炭素、窒素、珪素、硫黄、酸素、ゲルマニウム、リン等で構成される連結基であり、より好ましくは、単結合、置換または無置換の炭素原子、置換または無置換の窒素原子、置換珪素原子、酸素原子、硫黄原子、二価の芳香族炭化水素環基、二価の芳香族ヘテロ環基であり、さらに好ましくは単結合、置換または無置換の炭素原子、置換または無置換の窒素原子、置換珪素原子、二価の芳香族炭化水素環基、二価の芳香族ヘテロ環基であり、特に好ましくは、単結合、置換または無置換のメチレン基である、ＬA11、ＬA12、ＬA13、ＬA14で表される二価の連結基としては、例えば以下のものが挙げられる。
【０２８３】
【化８０】
2007088105.tif 000081
【０２８４】
ＬA11、ＬA12、ＬA13、ＬA14で表される二価の連結基は、さらに置換基を有していてもよい。導入可能な置換基としては、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、
【０２８５】
アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、
【０２８６】
ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、
【０２８７】
アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、
【０２８８】
スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、
【０２８９】
アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミダゾリルチオ、２−ベンズオキサゾリルチオ、２−ベンズチアゾリルチオなどが挙げられる。）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、
【０２９０】
ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、
【０２９１】
ヘテロ環基（好ましくは炭素数１〜３０、より好ましくは炭素数１〜１２であり、ヘテロ原子としては、例えば窒素原子、酸素原子、硫黄原子であり、具体的にはイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。
【０２９２】
これらの置換基は更に置換されてもよい。置換基として好ましくは、アルキル基、アリール基、ヘテロ環基、ハロゲン原子、シリル基であり、より好ましくはアルキル基、アリール基、ヘテロ環基、ハロゲン原子であり、さらに好ましくはアルキル基、アリール基、芳香族ヘテロ環基、フッ素原子である。
【０２９３】
ＱA11、ＱA12はＭA1に共有結合で結合する原子を含有する部分構造を表す。ＱA11、ＱA12はそれぞれ独立にＭA1に炭素原子で結合する基、窒素原子で結合する基、珪素原子で結合する基、リン原子で結合する基、酸素原子で結合する基、硫黄原子で結合する基が好ましく、炭素原子、窒素原子、酸素原子、硫黄原子で結合する基がより好ましく、炭素原子、窒素原子で結合する基がさらに好ましく、炭素原子で結合する基が特に好ましい。
【０２９４】
炭素原子で結合する基としては、炭素原子で結合するアリール基、炭素原子で結合する五員環へテロアリール基、炭素原子で結合する六員環へテロアリール基が好ましく、炭素原子で結合するアリール基、炭素原子で結合する含窒素五員環へテロアリール基、炭素原子で結合する含窒素六員環へテロアリール基がより好ましく、炭素原子で結合するアリール基が特に好ましい。
【０２９５】
窒素原子で結合する基としては、置換アミノ基、窒素原子で結合する含窒素へテロ五員環へテロアリール基が好ましく、窒素原子で結合する含窒素ヘテロ五員環へテロアリール基が特に好ましい。
【０２９６】
リン原子で結合する基としては、置換ホスフィノ基が好ましい。珪素原子で結合する基としては、置換シリル基が好ましい。酸素原子で結合する基としてはオキシ基、硫黄原子で結合する基としてはスルフィド基が好ましい。
【０２９７】
前記一般式（Ａ−１）で表される化合物は、より好ましくは一般式（Ａ−２）、一般式（Ａ−３）、又は一般式（Ａ−４）で表される化合物である。
【０２９８】
【化８１】
2007088105.tif 000082
【０２９９】
一般式（Ａ−２）中、ＭA2は金属イオンを表す。ＹA21、ＹA24、ＹA25およびＹA28は、それぞれ独立に炭素原子または窒素原子を表す。ＹA22、ＹA23、ＹA26およびＹA27はそれぞれ独立に置換または無置換の炭素原子、置換または無置換の窒素原子、酸素原子、硫黄原子を表す。ＬA21、ＬA22、ＬA23、ＬA24は連結基を表す。ＺA21、ＺA22、ＺA23、ＺA24、ＺA25およびＺA26はそれぞれ独立に窒素原子または置換もしくは無置換の炭素原子を表す。
【０３００】
【化８２】
2007088105.tif 000083
【０３０１】
一般式（Ａ−３）中、ＭA3は金属イオンを表す。ＹA31、ＹA34、ＹA35およびＹA38は、それぞれ独立に炭素原子または窒素原子を表す。ＹA32、ＹA33、ＹA36およびＹA37はそれぞれ独立に置換または無置換の炭素原子、置換または無置換の窒素原子、酸素原子、硫黄原子を表す。ＬA31、ＬA32、ＬA33、ＬA34は連結基を表す。ＺA31、ＺA32、ＺA33およびＺA34はそれぞれ独立に窒素原子または置換もしくは無置換の炭素原子を表す。
【０３０２】
【化８３】
2007088105.tif 000084
【０３０３】
一般式（Ａ−４）中、ＭA4は金属イオンを表す。ＹA41、ＹA44、ＹA45およびＹA48は、それぞれ独立に炭素原子または窒素原子を表す。ＹA42、ＹA43、ＹA46およびＹA47はそれぞれ独立に置換または無置換の炭素原子、置換または無置換の窒素原子、酸素原子、硫黄原子を表す。ＬA41、ＬA42、ＬA43、ＬA44は連結基を表す。ＺA41、ＺA42、ＺA43、ＺA44、ＺA45およびＺA46はそれぞれ独立に窒素原子または置換もしくは無置換の炭素原子を表す。ＸA41、ＸA42はそれぞれ独立に酸素原子、硫黄原子、置換もしくは無置換の窒素原子を表す。
【０３０４】
一般式（Ａ−２）で表される化合物について詳細に説明する。
ＭA2、ＹA21、ＹA24、ＹA25、ＹA28、ＹA22、ＹA23、ＹA26、ＹA27、ＬA21、ＬA22、ＬA23、ＬA24はそれぞれ対応する、一般式（Ａ−１）中のＭA1、ＹA11、ＹA14、ＹA15、ＹA18、ＹA12、ＹA13、ＹA16、ＹA17、ＬA11、ＬA12、ＬA13、ＬA14と同義であり、また好ましい範囲も同様である。
ＺA21、ＺA22、ＺA23、ＺA24、ＺA25およびＺA26はそれぞれ独立に窒素原子または置換もしくは無置換の炭素原子を表す。ＺA21、ＺA22、ＺA23、ＺA24、ＺA25およびＺA26として好ましくはそれぞれ独立に置換もしくは無置換の炭素原子であり、より好ましくは無置換の炭素原子である。炭素原子に置換される置換基としては一般式（Ａ−１）におけるＬA11、ＬA12、ＬA13、ＬA14で表される二価の連結基の置換基としてあげたものが適用できる。
【０３０５】
一般式（Ａ−３）で表される化合物について詳細に説明する。
ＭA3、ＹA31、ＹA34、ＹA35、ＹA38、ＹA32、ＹA33、ＹA36、ＹA37、ＬA31、ＬA32、ＬA33、ＬA34はそれぞれ対応する、一般式（Ａ−１）中のＭA1、ＹA11、ＹA14、ＹA15、ＹA18、ＹA12、ＹA13、ＹA16、ＹA17、ＬA11、ＬA12、ＬA13、ＬA14と同義であり、また好ましい範囲も同様である。
ＺA31、ＺA32、ＺA33、およびＺA34はそれぞれ独立に窒素原子または置換もしくは無置換の炭素原子を表す。ＺA31、ＺA32、ＺA33、およびＺA34として好ましくは置換もしくは無置換の炭素原子であり、より好ましくは無置換の炭素原子である。炭素原子に置換される置換基としては一般式（Ａ−１）におけるＬA11、ＬA12、ＬA13、ＬA14で表される二価の連結基の置換基としてあげたものが適用できる。
【０３０６】
一般式（Ａ−４）で表される化合物について詳細に説明する。
ＭA4、ＹA41、ＹA44、ＹA45、ＹA48、ＹA42、ＹA43、ＹA46、ＹA47、ＬA41、ＬA42、ＬA43、ＬA44はそれぞれ対応する、一般式（Ａ−１）中のＭA1、ＹA11、ＹA14、ＹA15、ＹA18、ＹA12、ＹA13、ＹA16、ＹA17、ＬA11、ＬA12、ＬA13、ＬA14と同義であり、また好ましい範囲も同様である。
ＺA41、ＺA42、ＺA43、ＺA44、ＺA45およびＺA46はそれぞれ独立に窒素原子または置換もしくは無置換の炭素原子を表す。ＺA41、ＺA42、ＺA43、ＺA44、ＺA45およびＺA46として好ましくは置換もしくは無置換の炭素原子であり、より好ましくは無置換の炭素原子である。炭素原子に置換される置換基としては一般式（Ａ−１）におけるＬA11、ＬA12、ＬA13、ＬA14で表される二価の連結基の置換基としてあげたものが適用できる。
ＸA41、ＸA42はそれぞれ独立に酸素原子、硫黄原子、置換もしくは無置換の窒素原子を表す。ＸA41、ＸA42として好ましくはそれぞれ独立に酸素原子、硫黄原子であり、より好ましくは酸素原子である。
【０３０７】
一般式（Ａ−１）で表される化合物の具体例を以下に列挙するが、本発明はこれらの化合物に限定されることはない。
【０３０８】
【化８４】
2007088105.tif 000085
【０３０９】
【化８５】
2007088105.tif 000086
【０３１０】
【化８６】
2007088105.tif 000087
【０３１１】
【化８７】
2007088105.tif 000088
【０３１２】
【化８８】
2007088105.tif 000089
【０３１３】
【化８９】
2007088105.tif 000090
【０３１４】
【化９０】
2007088105.tif 000091
【０３１５】
本発明における金属錯体の内、好ましい化合物の一つは、下記一般式（Ｂ−１）で表される化合物である。
【０３１６】
【化９１】
2007088105.tif 000092
【０３１７】
一般式（Ｂ−１）中、ＭB1は金属イオンを表す。ＹB11、ＹB14、ＹB15およびＹB18は、それぞれ独立に炭素原子または窒素原子を表す。ＹB12、ＹB13、ＹB16およびＹB17はそれぞれ独立に置換または無置換の炭素原子、置換または無置換の窒素原子、酸素原子、硫黄原子を表す。ＬB11、ＬB12、ＬB13、ＬB14は連結基を表す。ＱB11、ＱB12はＭB1に共有結合で結合する原子を含有する部分構造を表す。
【０３１８】
一般式（Ｂ−１）について詳細に説明する。
一般式（Ｂ−１）中、ＭB1、ＹB11、ＹB14、ＹB15、ＹB18、ＹB12、ＹB13、ＹB16、ＹB17、ＬB11、ＬB12、ＬB13、ＬB14、ＱB11、ＱB12は、それぞれ対応する、一般式（Ａ−１）中における、ＭA1、ＹA11、ＹA14、ＹA15、ＹA18、ＹA12、ＹA13、ＹA16、ＹA17、ＬA11、ＬA12、ＬA13、ＬA14、ＱA11、ＱA12と同義であり、また好ましい範囲も同様である。
【０３１９】
一般式（Ｂ−１）で表される化合物は、より好ましくは、下記一般式（Ｂ−２）、一般式（Ｂ−３）、又は一般式（Ｂ−４）で表される化合物である。
【０３２０】
【化９２】
2007088105.tif 000093
【０３２１】
一般式（Ｂ−２）中、ＭB2は金属イオンを表す。ＹB21、ＹB24、ＹB25およびＹB28は、それぞれ独立に炭素原子または窒素原子を表す。ＹB22、ＹB23、ＹB26およびＹB27はそれぞれ独立に置換または無置換の炭素原子、置換または無置換の窒素原子、酸素原子、硫黄原子を表す。ＬB21、ＬB22、ＬB23、ＬB24は連結基を表す。ＺB21、ＺB22、ＺB23、ＺB24、ＺB25およびＺB26はそれぞれ独立に窒素原子または置換もしくは無置換の炭素原子を表す。
【０３２２】
【化９３】
2007088105.tif 000094
【０３２３】
一般式（Ｂ−３）中、ＭB3は金属イオンを表す。ＹB31、ＹB34、ＹB35およびＹB38は、それぞれ独立に炭素原子または窒素原子を表す。ＹB32、ＹB33、ＹB36およびＹB37は、それぞれ独立に置換または無置換の炭素原子、置換または無置換の窒素原子、酸素原子、硫黄原子を表す。ＬB31、ＬB32、ＬB33、ＬB34は連結基を表す。ＺB31、ＺB32、ＺB33およびＺB34は、それぞれ独立に窒素原子または置換もしくは無置換の炭素原子を表す。
【０３２４】
【化９４】
2007088105.tif 000095
【０３２５】
一般式（Ｂ−４）中、ＭB4は金属イオンを表す。ＹB41、ＹB44、ＹB45およびＹB48は、それぞれ独立に炭素原子または窒素原子を表す。ＹB42、ＹB43、ＹB46およびＹB47はそれぞれ独立に置換または無置換の炭素原子、置換または無置換の窒素原子、酸素原子、硫黄原子を表す。ＬB41、ＬB42、ＬB43、ＬB44は連結基を表す。ＺB41、ＺB42、ＺB43、ＺB44、ＺB45およびＺB46はそれぞれ独立に窒素原子または置換もしくは無置換の炭素原子を表す。ＸB41、ＸB42はそれぞれ独立に酸素原子、硫黄原子、置換もしくは無置換の窒素原子を表す。
【０３２６】
一般式（Ｂ−２）で表される化合物について詳細に説明する。
一般式（Ｂ−２）中、ＭB2、ＹB21、ＹB24、ＹB25、ＹB28、ＹB22、ＹB23、ＹB26、ＹB27、ＬB21、ＬB22、ＬB23、ＬB24はそれぞれ対応する、一般式（Ｂ−１）中のＭB1、ＹB11、ＹB14、ＹB15、ＹB18、ＹB12、ＹB13、ＹB16、ＹB17、ＬB11、ＬB12、ＬB13、ＬB14と同義であり、また好ましい範囲も同様である。
ＺB21、ＺB22、ＺB23、ＺB24、ＺB25およびＺB26は、それぞれ独立に窒素原子または置換もしくは無置換の炭素原子を表す。ＺB21、ＺB22、ＺB23、ＺB24、ＺB25およびＺB26として好ましくは置換もしくは無置換の炭素原子であり、より好ましくは無置換の炭素原子である。炭素原子に置換される置換基としては一般式（Ａ−１）におけるＬA11、ＬA12、ＬA13、ＬA14で表される二価の連結基の置換基としてあげたものが適用できる。
【０３２７】
一般式（Ｂ−３）で表される化合物について詳細に説明する。
一般式（Ｂ−３）中、ＭB3、ＹB31、ＹB34、ＹB35、ＹB38、ＹB32、ＹB33、ＹB36、ＹB37、ＬB31、ＬB32、ＬB33、ＬB34はそれぞれ対応する、一般式（Ｂ−１）中のＭB1、ＹB11、ＹB14、ＹB15、ＹB18、ＹB12、ＹB13、ＹB16、ＹB17、ＬB11、ＬB12、ＬB13、ＬB14と同義であり、また好ましい範囲も同様である。
ＺB31、ＺB32、ＺB33、およびＺB34はそれぞれ独立に窒素原子または置換もしくは無置換の炭素原子を表す。ＺB31、ＺB32、ＺB33、およびＺB34として好ましくは置換もしくは無置換の炭素原子であり、より好ましくは無置換の炭素原子である。炭素原子に置換される置換基としては一般式（Ａ−１）におけるＬA11、ＬA12、ＬA13、ＬA14で表される二価の連結基の置換基としてあげたものが適用できる。
【０３２８】
一般式（Ｂ−４）で表される化合物について詳細に説明する。
一般式（Ｂ−４）中、ＭB4、ＹB41、ＹB44、ＹB45、ＹB48、ＹB42、ＹB43、ＹB46、ＹB47、ＬB41、ＬB42、ＬB43、ＬB44はそれぞれ対応する、一般式（Ｂ−１）中のＭB1、ＹB11、ＹB14、ＹB15、ＹB18、ＹB12、ＹB13、ＹB16、ＹB17、ＬB11、ＬB12、ＬB13、ＬB14と同義であり、また好ましい範囲も同様である。
ＺB41、ＺB42、ＺB43、ＺB44、ＺB45およびＺB46はそれぞれ独立に窒素原子または置換もしくは無置換の炭素原子を表す。ＺB41、ＺB42、ＺB43、ＺB44、ＺB45およびＺB46として好ましくは置換もしくは無置換の炭素原子であり、より好ましくは無置換の炭素原子である。炭素原子に置換される置換基としては一般式（Ａ−１）におけるＬA11、ＬA12、ＬA13、ＬA14で表される二価の連結基の置換基としてあげたものが適用できる。
ＸB41、ＸB42はそれぞれ独立に酸素原子、硫黄原子、置換もしくは無置換の窒素原子を表す。ＸB41、ＸB42として好ましくは酸素原子、硫黄原子であり、より好ましくは酸素原子である。
【０３２９】
一般式（Ｂ−１）で表される化合物の具体例を以下に列挙するが、本発明はこれらの化合物に限定されることはない。
【０３３０】
【化９５】
2007088105.tif 000096
【０３３１】
【化９６】
2007088105.tif 000097
【０３３２】
【化９７】
2007088105.tif 000098
【０３３３】
【化９８】
2007088105.tif 000099
【０３３４】
【化９９】
2007088105.tif 000100
【０３３５】
本発明における金属錯体の内、好ましい化合物の一つは、一般式（Ｃ−１）で表される化合物である。
【０３３６】
【化１００】
2007088105.tif 000101
【０３３７】
一般式（Ｃ−１）中、ＭC1は金属イオンを表す。ＲC11、ＲC12は、それぞれ独立に、水素原子、互いに連結して五員環を形成する置換基、または互いに連結することの無い置換基を表す。ＲC13、ＲC14は、それぞれ独立に、水素原子、互いに連結して五員環を形成する置換基、または互いに連結することの無い置換基を表す。ＧC11、ＧC12は、それぞれ独立に、窒素原子、置換または無置換の炭素原子を表す。ＬC11、ＬC12は連結基を表す。ＱC11、ＱC12はＭC1に共有結合で結合する原子を含有する部分構造を表す。
【０３３８】
一般式（Ｃ−１）について詳細に説明する。
一般式（Ｃ−１）中、ＭC1、ＬC11、ＬC12、ＱC11、ＱC12はそれぞれ対応する一般式（Ａ−１）中における、ＭA1、ＬA11、ＬA12、ＱA11、ＱA12と同義であり、また好ましい範囲も同様である。
ＧC11、ＧC12は、それぞれ独立に窒素原子、置換もしくは無置換の炭素原子を表し、好ましくは窒素原子、無置換の炭素原子であり、より好ましくは窒素原子である。
ＲC11、ＲC12はそれぞれ独立に水素原子または置換基を表す。ＲC11、ＲC12は互いに連結して五員環を形成してもよい。ＲC13、ＲC14はそれぞれ独立に水素原子または置換基を表す。ＲC13、ＲC14は互いに連結して五員環を形成してもよい。
【０３３９】
ＲC11、ＲC12、ＲC13およびＲC14で表される置換基としては、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、
【０３４０】
アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、
【０３４１】
ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、
【０３４２】
アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、
【０３４３】
アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミダゾリルチオ、２−ベンズオキサゾリルチオ、２−ベンズチアゾリルチオなどが挙げられる。）、ハロゲン原子（例えばフッ素原子、塩素原子、臭素原子、ヨウ素原子）、シアノ基、
【０３４４】
ヘテロ環基（好ましくは炭素数１〜３０、より好ましくは炭素数１〜１２であり、ヘテロ原子としては、例えば窒素原子、酸素原子、硫黄原子であり、具体的にはイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。
【０３４５】
ＲC11、ＲC12、ＲC13およびＲC14で表される置換基として好ましくは、アルキル基、アリール基、ＲC11とＲC12、ＲC13とＲC14が互いに結合して五員環を形成する基であり、特に好ましくはＲC11とＲC12、ＲC13とＲC14が互いに結合して五員環を形成する基である。
【０３４６】
一般式（Ｃ−１）で表される化合物は、より好ましくは一般式（Ｃ−２）で表される化合物である。
【０３４７】
【化１０１】
2007088105.tif 000102
【０３４８】
一般式（Ｃ−２）中、ＭC2は金属イオンを表す。
ＹC21、ＹC22、ＹC23およびＹC24は、それぞれ独立に窒素原子、置換もしくは無置換の炭素原子を表す。ＧC21、ＧC22は、それぞれ独立に窒素原子、置換もしくは無置換の炭素原子を表す。ＬC21、ＬC22は連結基を表す。ＱC21、ＱC22はＭC2に共有結合で結合する原子を含有する部分構造を表す。
【０３４９】
一般式（Ｃ−２）について詳細に説明する。
一般式（Ｃ−２）中、ＭC2、ＬC21、ＬC22、ＱC21、ＱC22、ＧC21、ＧC22はそれぞれ対応する、一般式（Ｃ−１）におけるＭC1、ＬC11、ＬC12、ＱC11、ＱC12、ＧC11、ＧC12と同義であり、好ましい範囲も同様である。
ＹC21、ＹC22、ＹC23およびＹC24は、それぞれ独立に、窒素原子、置換もしくは無置換の炭素原子を表し、好ましくは置換もしくは無置換の炭素原子であり、より好ましくは無置換の炭素原子である。
【０３５０】
一般式（Ｃ−２）で表される化合物は、より好ましくは下記一般式（Ｃ−３）、一般式（Ｃ−４）又は一般式（Ｃ−５）で表される化合物である。
【０３５１】
【化１０２】
2007088105.tif 000103
【０３５２】
一般式（Ｃ−３）中、ＭC3は金属イオンを表す。
ＹC31、ＹC32、ＹC33およびＹC34は、それぞれ独立に窒素原子、置換もしくは無置換の炭素原子を表す。ＧC31、ＧC32は、それぞれ独立に窒素原子、置換もしくは無置換の炭素原子を表す。ＬC31、ＬC32は連結基を表す。ＺC31、Ｚ C32、Ｚ C33、Ｚ C34、Ｚ C35およびＺ C36はそれぞれ独立に窒素原子、置換もしくは無置換の炭素原子を表す。
【０３５３】
【化１０３】
2007088105.tif 000104
【０３５４】
一般式（Ｃ−４）中、ＭC4は金属イオンを表す。  ＹC41、ＹC42、ＹC43およびＹC44は、それぞれ独立に窒素原子、置換もしくは無置換の炭素原子を表す。ＧC41、ＧC42は、それぞれ独立に窒素原子、置換もしくは無置換の炭素原子を表す。ＬC41、ＬC42は連結基を表す。ＺC41、ＺC42、ＺC43およびＺC44はそれぞれ独立に窒素原子、置換もしくは無置換の炭素原子を表す。
【０３５５】
【化１０４】
2007088105.tif 000105
【０３５６】
一般式（Ｃ−５）中、ＭC5は金属イオンを表す。
ＹC51、ＹC52、ＹC53およびＹC54は、それぞれ独立に窒素原子、置換もしくは無置換の炭素原子を表す。ＧC51、ＧC52は、それぞれ独立に窒素原子、置換もしくは無置換の炭素原子を表す。ＬC51、ＬC52は連結基を表す。ＺC51、Ｚ C52、Ｚ C53、Ｚ C54、Ｚ C55およびＺ C56はそれぞれ独立に窒素原子、置換もしくは無置換の炭素原子を表す。ＸC51、ＸC52はそれぞれ独立に酸素原子、硫黄原子、置換もしくは無置換の窒素原子を表す。
【０３５７】
一般式（Ｃ−３）で表される化合物について詳細に説明する。
一般式（Ｃ−３）中、ＭC3、ＬC31、ＬC32、ＧC31、ＧC32はそれぞれ対応する、一般式（Ｃ−１）における、ＭC1、ＬC11、ＬC12、ＧC11、ＧC12と同義であり、また好ましい範囲も同様である。
ＺC31、ＺC32、ＺC33、ＺC34、ＺC35およびＺC36はそれぞれ独立に窒素原子または置換もしくは無置換の炭素原子を表す。ＺC31、ＺC32、ＺC33、ＺC34、ＺC35およびＺC36として好ましくは置換もしくは無置換の炭素原子であり、より好ましくは無置換の炭素原子である。
【０３５８】
一般式（Ｃ−４）で表される化合物について詳細に説明する。
一般式（Ｃ−４）中、ＭC4、ＬC41、ＬC42、ＧC41、ＧC42は、それぞれ対応する一般式（Ｃ−１）における、ＭC1、ＬC11、ＬC12、ＧC11、ＧC12と同義であり、また好ましい範囲も同様である。
ＺC41、ＺC42、ＺC43、およびＺC44はそれぞれ独立に窒素原子または置換もしくは無置換の炭素原子を表す。ＺC41、ＺC42、ＺC43、およびＺC44として好ましくは置換もしくは無置換の炭素原子であり、より好ましくは無置換の炭素原子である。
【０３５９】
一般式（Ｃ−５）で表される化合物について詳細に説明する。
ＭC5、ＬC51、ＬC52、ＧC51、ＧC52は、それぞれ対応する一般式（Ｃ−１）における、ＭC1、ＬC11、ＬC12、ＧC11、ＧC12と同義であり、また好ましい範囲も同様である。
ＺC51、ＺC52、ＺC53、ＺC54、ＺC55およびＺC56はそれぞれ独立に窒素原子または置換もしくは無置換の炭素原子を表す。ＺC51、ＺC52、ＺC53、ＺC54、ＺC55およびＺC56として好ましくは置換もしくは無置換の炭素原子であり、より好ましくは無置換の炭素原子である。
ＸC51、ＸC52はそれぞれ独立に酸素原子、硫黄原子、置換もしくは無置換の窒素原子を表す。ＸC51、ＸC52として好ましくは酸素原子、硫黄原子であり、より好ましくは酸素原子である。
【０３６０】
一般式（Ｃ−１）で表される化合物の具体例を以下に列挙するが、本発明はこれらの化合物に限定されることはない。
【０３６１】
【化１０５】
2007088105.tif 000106
【０３６２】
【化１０６】
2007088105.tif 000107
【０３６３】
【化１０７】
2007088105.tif 000108
【０３６４】
【化１０８】
2007088105.tif 000109
【０３６５】
【化１０９】
2007088105.tif 000110
【０３６６】
本発明における金属錯体の内、好ましい化合物の一つは、下記一般式（Ｄ−１）で表される化合物である。
【０３６７】
【化１１０】
2007088105.tif 000111
【０３６８】
一般式（Ｄ−１）中、ＭD1は金属イオンを表す。
ＧD11、ＧD12は、それぞれ独立に窒素原子、置換または無置換の炭素原子を表す。ＪD1
1、ＪD12、ＪD13およびＪD14は五員環を形成するのに必要な原子群を表す。ＬD11、ＬD12
は連結基を表す。
【０３６９】
一般式（Ｄ−１）について詳細に説明する。
一般式（Ｄ−１）中、ＭD1、ＬD11、ＬD12はそれぞれ対応する一般式（Ａ−１）中における、ＭA1、ＬA11、ＬA12と同義であり、また好ましい範囲も同様である。
ＧD11、ＧD12は、それぞれ対応する一般式（Ｃ−１）におけるＧC11、ＧC12と同義であり、また好ましい範囲も同様である。
ＪD11、ＪD12、ＪD13およびＪD14は、これらが結合している原子群と共に、含窒素へテロ五員環を形成するのに必要な原子群を表す。
【０３７０】
一般式（Ｄ−１）で表される化合物は、より好ましくは下記一般式（Ｄ−２）、一般式（Ｄ−３）、又は一般式（Ｄ−４）で表される化合物である。
【０３７１】
【化１１１】
2007088105.tif 000112
【０３７２】
一般式（Ｄ−２）中、ＭD2は金属イオンを表す。
ＧD21、ＧD22は、それぞれ独立に窒素原子、置換または無置換の炭素原子を表す。
ＹD21、ＹD22、ＹD23およびＹD24は、それぞれ独立に窒素原子、置換もしくは無置換の炭素原子を表す。
ＸD21、ＸD22、ＸD23およびＸD24は、それぞれ独立に酸素原子、硫黄原子、−ＮＲD21−、−Ｃ（ＲD22）ＲD23−を表す。
ＲD21、ＲD22およびＲD23は、それぞれ独立に水素原子または置換基を表す。ＬD21、ＬD22は連結基を表す。
【０３７３】
【化１１２】
2007088105.tif 000113
【０３７４】
一般式（Ｄ−３）中、ＭD3は金属イオンを表す。
ＧD31、ＧD32は、それぞれ独立に窒素原子、置換または無置換の炭素原子を表す。
ＹD31、ＹD32、ＹD33およびＹD34は、それぞれ独立に窒素原子、置換もしくは無置換の炭素原子を表す。
ＸD31、ＸD32、ＸD33およびＸD34は、それぞれ独立に酸素原子、硫黄原子、−ＮＲD31−、−Ｃ（ＲD32）ＲD33−を表す。
ＲD31、ＲD32およびＲD33は、それぞれ独立に水素原子または置換基を表す。ＬD31、ＬD32は連結基を表す。
【０３７５】
【化１１３】
2007088105.tif 000114
【０３７６】
一般式（Ｄ−４）中、ＭD4は金属イオンを表す。
ＧD41、ＧD42は、それぞれ独立に窒素原子、置換または無置換の炭素原子を表す。
ＹD41、ＹD42、ＹD43およびＹD44は、それぞれ独立に窒素原子、置換もしくは無置換の炭素原子を表す。
ＸD41、ＸD42、ＸD43およびＸD44は、それぞれ独立に酸素原子、硫黄原子、−ＮＲD41−、−Ｃ（ＲD42）ＲD43−を表す。ＲD41、ＲD42およびＲD43は、それぞれ独立に水素原子または置換基を表す。ＬD41、ＬD42は連結基を表す。
【０３７７】
一般式（Ｄ−２）について詳細に説明する。
ＭD2、ＬD21、ＬD22、ＧD21、ＧD22は、一般式（Ｄ−１）におけるＭD1、ＬD11、ＬD12、ＧD11、ＧD12と同義であり、また好ましい範囲も同様である。
ＹD21、ＹD22、ＹD23およびＹD24は、それぞれ独立に窒素原子、置換もしくは無置換の炭素原子を表し、好ましくは置換もしくは無置換の炭素原子であり、より好ましくは無置換の炭素原子である。
ＸD21、ＸD22、ＸD23およびＸD24は、それぞれ独立に酸素原子、硫黄原子、−ＮＲD21−、−Ｃ（ＲD22）ＲD23−を表し、好ましくは硫黄原子、−ＮＲD21−、−Ｃ（ＲD22）ＲD23−であり、より好ましくは−ＮＲD21−、−Ｃ（ＲD22）ＲD23−であり、さらに好ましくは−ＮＲD21−である。
ＲD21、ＲD22およびＲD23は、それぞれ独立に水素原子または置換基を表す。ＲD21、ＲD22およびＲD23で表される置換基としては、アルキル基（好ましくは炭素数１〜２０、より好ましくは炭素数１〜１２、特に好ましくは炭素数１〜８であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシル等が挙げられる。）、アルケニル基（好ましくは炭素数２〜２０、より好ましくは炭素数２〜１２、特に好ましくは炭素数２〜８であり、例えばビニル、アリル、２−ブテニル、３−ペンテニル等が挙げられる。）、アルキニル基（好ましくは炭素数２〜２０、より好ましくは炭素数２〜１２、特に好ましくは炭素数２〜８であり、例えばプロパルギル、３−ペンチニル等が挙げられる。）、
【０３７８】
アリール基（好ましくは炭素数６〜３０、より好ましくは炭素数６〜２０、特に好ましくは炭素数６〜１２であり、例えばフェニル、ｐ−メチルフェニル、ナフチル等が挙げられる。）、置換カルボニル基（好ましくは炭素数１〜２０、より好ましくは炭素数１〜１６、特に好ましくは炭素数１〜１２であり、例えばアセチル、ベンゾイル、メトキシカルボニル、フェニルオキシカルボニル、ジメチルアミノカルボニル、フェニルアミノカルボニル、等が挙げられる。）、置換スルホニル基（好ましくは炭素数１〜２０、より好ましくは炭素数１〜１６、特に好ましくは炭素数１〜１２であり、例えばメシル、トシル等が挙げられる。）、
【０３７９】
ヘテロ環基（脂肪族ヘテロ環基、芳香族ヘテロ環基がある。好ましくは、酸素原子、硫黄原子、窒素原子のいずれかを含み、好ましくは炭素数１〜５０、より好ましくは炭素数１〜３０、特に好ましくは炭素数２〜１２であり、例えばイミダゾリル、ピリジル、フリル、ピペリジル、モルホリノ、ベンゾオキサゾリル、トリアゾリル基等が挙げられる。）等が挙げられる。ＲD21、ＲD22およびＲD23は好ましくはアルキル基、アリール基、芳香族ヘテロ環基であり、より好ましくは、アルキル基、アリール基であり、さらに好ましくはアリール基である。
【０３８０】
一般式（Ｄ−３）について詳細に説明する。
一般式（Ｄ−３）中、ＭD3、ＬD31、ＬD32、ＧD31、ＧD32は、それぞれ対応する一般式（Ｄ−１）におけるＭD1、ＬD11、ＬD12、ＧD11、ＧD12と同義であり、また好ましい範囲も同様である。
ＸD31、ＸD32、ＸD33およびＸD34はそれぞれ対応する、一般式（Ｄ−２）におけるＸD21、ＸD22、ＸD23およびＸD24と同義であり、また好ましい範囲も同様である。
ＹD31、ＹD32、ＹD33およびＹD34はそれぞれ対応する、一般式（Ｄ−２）におけるＹD21、ＹD22、ＹD23およびＹD24と同義であり、また好ましい範囲も同様である。
【０３８１】
一般式（Ｄ−４）について詳細に説明する。
一般式（Ｄ−４）中、ＭD4、ＬD41、ＬD42、ＧD41、ＧD42は、それぞれ対応する、一般式（Ｄ−１）におけるＭD1、ＬD11、ＬD12、ＧD11、ＧD12と同義であり、また好ましい範囲も同様である。
ＸD41、ＸD42、ＸD43およびＸD44は、それぞれ対応する一般式（Ｄ−２）におけるＸD21、ＸD22、ＸD23およびＸD24と同義であり、また好ましい範囲も同様である。ＹD41、ＹD42、ＹD43およびＹD44は、それぞれ対応する、一般式（Ｄ−２）におけるＹD21、ＹD22、ＹD23およびＹD24と同義であり、また好ましい範囲も同様である。
【０３８２】
一般式（Ｄ−１）で表される化合物の具体例を以下に列挙するが、本発明はこれらの化合物に限定されることはない。
【０３８３】
【化１１４】
2007088105.tif 000115
【０３８４】
【化１１５】
2007088105.tif 000116
【０３８５】
本発明における金属錯体の内、好ましい化合物の一つは、下記一般式（Ｅ−１）で表される化合物である。
【０３８６】
【化１１６】
2007088105.tif 000117
【０３８７】
一般式（Ｅ−１）中、ＭE1は金属イオンを表す。ＪE11、ＪE12は五員環を形成するのに必要な原子群を表す。ＧE11、ＧE12、ＧE13およびＧE14は、それぞれ独立に、窒素原子、置換もしくは無置換の炭素原子を表す。ＹE11、ＹE12、ＹE13およびＹE14はそれぞれ独立に窒素原子、置換もしくは無置換の炭素原子を表す。
【０３８８】
一般式（Ｅ−１）について詳細に説明する。
一般式（Ｅ−１）中、ＭE1は一般式（Ａ−１）におけるＭA1と同義であり、また好ましい範囲も同様である。ＧE11、ＧE12、ＧE13およびＧE14は一般式（Ｃ−１）におけるＧC11、ＧC12と同義であり、また好ましい範囲も同様である。
ＪE11、ＪE12は、一般式（Ｄ−１）におけるＪD12〜ＪD14と同義であり、また好ましい範囲も同様である。ＹE11、ＹE12、ＹE13およびＹE14はそれぞれ対応する、一般式（Ｃ−２）におけるＹC21〜ＹC24と同義であり、また好ましい範囲も同様である。
【０３８９】
一般式（Ｅ−１）で表される化合物は、より好ましくは下記一般式（Ｅ−２）、又は一般式（Ｅ−３）で表される化合物である。
【０３９０】
【化１１７】
2007088105.tif 000118
【０３９１】
一般式（Ｅ−２）中、ＭE2は金属イオンを表す。ＧE21、ＧE22、ＧE23およびＧE24はそれぞれ独立に、窒素原子、置換もしくは無置換の炭素原子を表す。ＹE21、ＹE22、ＹE23、ＹE24、ＹE25およびＹE26はそれぞれ独立に、窒素原子、置換もしくは無置換の炭素原子を表す。
ＸE21およびＸE22は、それぞれ独立に酸素原子、硫黄原子、−ＮＲE21−、−Ｃ（ＲE22）ＲE23−を表す。ＲE21、ＲE22およびＲE23は、それぞれ独立に水素原子または置換基を表す。
【０３９２】
【化１１８】
2007088105.tif 000119
【０３９３】
一般式（Ｅ−３）中、ＭE3は金属イオンを表す。ＧE31、ＧE32  、ＧE33およびＧE34はそれぞれ独立に窒素原子、置換もしくは無置換の炭素原子を表す。ＹE31、ＹE32、ＹE33、ＹE34、ＹE35およびＹE36はそれぞれ独立に窒素原子、置換もしくは無置換の炭素原子を表す。ＸE31およびＸE32は、それぞれ独立に酸素原子、硫黄原子、−ＮＲE31−、−Ｃ（ＲE32）ＲE33−を表す。ＲE31、ＲE32およびＲE33は、それぞれ独立に水素原子または置換基を表す。
【０３９４】
一般式（Ｅ−２）について詳細に説明する。
一般式（Ｅ−２）中、ＭE2、ＧE21、ＧE22、ＧE23、ＧE24、ＹE21、ＹE22、ＹE23、ＹE24は、それぞれ対応する一般式（Ｅ−１）におけるＭE1、ＧE11、ＧE12、ＧE13、ＧE14、ＹE11、ＹE12、ＹE13、ＹE14と同義であり、また好ましい範囲も同様である。ＸE21、ＸE22は一般式（Ｄ−２）におけるＸD21、ＸD22と同義であり、また好ましい範囲も同様である。
【０３９５】
一般式（Ｅ−３）について詳細に説明する。
一般式（Ｅ−３）中、ＭE3、ＧE31、ＧE32、ＧE33、ＧE34、ＹE31、ＹE32、ＹE33、ＹE34は、それぞれ対応する、一般式（Ｅ−１）におけるＭE1、ＧE11、ＧE12、ＧE13、ＧE14、ＹE11、ＹE12、ＹE13、ＹE14と同義であり、また好ましい範囲も同様である。ＸE31、ＸE32は対応する、一般式（Ｅ−２）におけるＸE21、ＸE22と同義であり、また好ましい範囲も同様である。
【０３９６】
一般式（Ｅ−１）で表される化合物の具体例を以下に列挙するが、本発明はこれらの化合物に限定されることはない。
【０３９７】
【化１１９】
2007088105.tif 000120
【０３９８】
【化１２０】
2007088105.tif 000121
【０３９９】
本発明における金属錯体の内、好ましい化合物の一つは、下記一般式（Ｆ−１）で表される化合物である。
【０４００】
【化１２１】
2007088105.tif 000122
【０４０１】
一般式（Ｆ−１）中、ＭF1は金属イオンを表す。ＬF11、ＬF12およびＬF13は連結基を表す。ＲF11、ＲF12、ＲF13およびＲF14は、それぞれ独立に、水素原子または置換基を表し、ＲF11とＲF12、ＲF12とＲF13、ＲF13とＲF14は可能であれば互いに連結して環を形成してもよいが、ＲF11とＲF12、ＲF13とＲF14が形成する環は五員環である。ＱF11、ＱF12はＭF1に共有結合で結合する原子を含有する部分構造を表す。
【０４０２】
一般式（Ｆ−１）で表される化合物について詳細に説明する。
一般式（Ｆ−１）中、ＭF1、ＬF11、ＬF12、ＬF13、ＱF11、ＱF12はそれぞれ対応する、一般式（Ａ−１）におけるＭA1、ＬA11、ＬA12、ＬA13、ＱA11、ＱA12と同義であり、また好ましい範囲も同様である。ＲF11、ＲF12、ＲF13およびＲF14は、それぞれ独立に水素原子または置換基を表し、ＲF11とＲF12、ＲF12とＲF13、ＲF13とＲF14は可能であれば互いに連結して環を形成してもよいが、ＲF11とＲF12、ＲF13とＲF14が形成する環は五員環である。ＲF11、ＲF12、ＲF13およびＲF14で表される置換基としては、それぞれ対応する一般式（Ｃ−１）におけるＲC11〜ＲC14で表される置換基として挙げたものが適用できる。ＲF11、ＲF12、ＲF13およびＲF14として好ましくは、ＲF11とＲF12、ＲF13とＲF14が互いに結合して五員環を形成する基もしくは、ＲF12とＲF13が互いに結合して芳香環を形成する基である。
【０４０３】
一般式（Ｆ−１）で表される化合物は、より好ましくは下記一般式（Ｆ−２）、一般式（Ｆ−３）、又は一般式（Ｆ−４）で表される化合物である。
【０４０４】
【化１２２】
2007088105.tif 000123
【０４０５】
一般式（Ｆ−２）中、ＭF2は金属イオンを表す。ＬF21、ＬF22およびＬF23は連結基を表す。ＲF21、ＲF22、ＲF23およびＲF24は置換基を表し、ＲF21とＲF22、ＲF22とＲF23、ＲF23とＲF24は可能であれば互いに連結して環を形成してもよいが、ＲF21とＲF22、ＲF23とＲF24が形成する環は五員環である。ＺF21、ＺF22、ＺF23、ＺF24、ＺF25およびＺF26はそれぞれ独立に窒素原子または置換もしくは無置換の炭素原子を表す。
【０４０６】
【化１２３】
2007088105.tif 000124
【０４０７】
一般式（Ｆ−３）中、ＭF3は金属イオンを表す。ＬF31、ＬF32およびＬF33は連結基を表す。ＲF31、ＲF32、ＲF33およびＲF34は置換基を表し、ＲF31とＲF32、ＲF32とＲF33、ＲF33とＲF34は可能であれば互いに連結して環を形成してもよいが、ＲF31とＲF32、ＲF33とＲF34が形成する環は五員環である。ＺF31、ＺF32、ＺF33およびＺF34はそれぞれ独立に窒素原子または置換もしくは無置換の炭素原子を表す。
【０４０８】
【化１２４】
2007088105.tif 000125
【０４０９】
一般式（Ｆ−４）中、ＭF4は金属イオンを表す。ＬF41、ＬF42およびＬF43は連結基を表す。ＲF41、ＲF42、ＲF43およびＲF44は置換基を表し、ＲF41とＲF42、ＲF42とＲF43、ＲF43とＲF44は可能であれば互いに連結して環を形成してもよいが、ＲF41とＲF42、ＲF43とＲF44が形成する環は五員環である。ＺF41、ＺF42、ＺF43、ＺF44、ＺF45、およびＺF46はそれぞれ独立に窒素原子または置換もしくは無置換の炭素原子を表す。ＸF41、ＸF42はそれぞれ独立に酸素原子、硫黄原子、置換もしくは無置換の窒素原子を表す。
【０４１０】
一般式（Ｆ−２）で表される化合物について詳細に説明する。
ＭF2、ＬF21、ＬF22、ＬF23、ＲF21、ＲF22、ＲF23およびＲF24はそれぞれ対応する一般式（Ｆ−１）におけるＭF1、ＬF11、ＬF12、ＬF13、ＲF11、ＲF12、ＲF13およびＲF14と同義であり、また好ましい範囲も同様である。
ＺF21、ＺF22、ＺF23、ＺF24、ＺF25およびＺF26はそれぞれ独立に窒素原子または置換もしくは無置換の炭素原子を表す。ＺF21、ＺF22、ＺF23、ＺF24、ＺF25およびＺF26として好ましくは置換もしくは無置換の炭素原子であり、より好ましくは無置換の炭素原子である。炭素原子に置換される置換基としては一般式（Ａ−１）におけるＬA11、ＬA12、ＬA13、ＬA14で表される二価の連結基の置換基としてあげたものが適用できる。
【０４１１】
一般式（Ｆ−３）で表される化合物について詳細に説明する。
一般式（Ｆ−３）中、ＭF3、ＬF31、ＬF32、ＬF33、ＲF31、ＲF32、ＲF33およびＲF34はそれぞれ対応する、一般式（Ｆ−１）におけるＭF1、ＬF11、ＬF12、ＬF13、ＲF11、ＲF12、ＲF13およびＲF14と同義であり、また好ましい範囲も同様である。ＺF31、ＺF32、ＺF33およびＺF34はそれぞれ独立に窒素原子または置換もしくは無置換の炭素原子を表す。ＺF31、ＺF32、ＺF33およびＺF34として好ましくは置換もしくは無置換の炭素原子であり、より好ましくは無置換の炭素原子である。炭素原子に置換される置換基としては一般式（Ａ−１）におけるＬA11、ＬA12、ＬA13、ＬA14で表される二価の連結基の置換基としてあげたものが適用できる。
【０４１２】
一般式（Ｆ−４）で表される化合物について詳細に説明する。
一般式（Ｆ−４）中、ＭF4、ＬF41、ＬF42、ＬF43、ＲF41、ＲF42、ＲF43およびＲF44は一般式（Ｆ−１）におけるＭF1、ＬF11、ＬF12、ＬF13、ＲF11、ＲF12、ＲF13およびＲF14と同義であり、また好ましい範囲も同様である。
ＺF41、ＺF42、ＺF43、ＺF44、ＺF45およびＺF46はそれぞれ独立に窒素原子または置換もしくは無置換の炭素原子を表す。ＺF41、ＺF42、ＺF43、ＺF44、ＺF45およびＺF46として好ましくは置換もしくは無置換の炭素原子であり、より好ましくは無置換の炭素原子である。炭素原子に置換される置換基としては一般式（Ａ−１）におけるＬA11、ＬA12、ＬA13、ＬA14で表される二価の連結基の置換基としてあげたものが適用できる。
ＸF41、ＸF42はそれぞれ独立に酸素原子、硫黄原子、置換もしくは無置換の窒素原子を表す。ＸF41、ＸF42として好ましくは酸素原子、硫黄原子であり、より好ましくは酸素原子である。
【０４１３】
一般式（Ｆ−１）で表される化合物の具体例を以下に列挙するが、本発明はこれらの化合物に限定されることはない。
【０４１４】
【化１２５】
2007088105.tif 000126
【０４１５】
【化１２６】
2007088105.tif 000127
【０４１６】
【化１２７】
2007088105.tif 000128
【０４１７】
【化１２８】
2007088105.tif 000129
【０４１８】
【化１２９】
2007088105.tif 000130
【０４１９】
前記一般式（Ａ−１）〜（Ｆ−１）で表される化合物は公知の方法により合成することができる。
【０４２０】
次に、本発明で用いる光変性可能な化合物は、特開２００１−１３１４３４号公報の段落番号（０００５）から（０００７）に記載の化合物を用いることができる。
【０４２１】
本発明における前記３座以上の配位子を有する金属錯体及び光変性可能な化合物を発光層に含有する有機電界発光素子（本発明の有機電界発光素子）の好適な態様について詳細に説明する。
本発明の有機電界発光素子の外部量子効率としては、５％以上が好ましく、１０％以上がより好ましく、１３％以上がさらに好ましい。外部量子効率の数値は２０℃で素子を駆動したときの外部量子効率の最大値、もしくは、２０℃で素子を駆動した時の１００〜３００ｃｄ／ｍ2付近での外部量子効率の値を用いることができる。
【０４２２】
本発明の有機電界発光素子の内部量子効率としては、３０％以上が好ましく、５０％以上がさらに好ましく、７０％以上がさらに好ましい。素子の内部量子効率は、内部量子効率＝外部量子効率／光取り出し効率で算出される。通常の有機ＥＬ素子では光取り出し効率は約２０％であるが、本発明の有機電界発光素子では、基板の形状、電極の形状、有機層の膜厚、無機層の膜厚、有機層の屈折率、無機層の屈折率等を工夫することにより、光取り出し効率を２０％以上にすることが可能である。
【０４２３】
本発明の有機電界発光素子の構成に関してさらに詳細に説明する。
本発明の有機電界発光素子は、前述の通り、陽極、陰極の一対の電極間に、少なくとも一層の発光層を有する有機化合物層を有して構成される。
本発明の有機電界発光素子を構成する各層の詳細は後述する通りであるが、本発明の有機電界発光素子は、少なくとも１層の発光層に前記本発明の錯体と光変性可能な化合物を含有する。
【０４２４】
本発明の有機電界発光素子は、発光層の他、正孔注入層、正孔輸送層、電子注入層、電子輸送層等の有機化合物層、保護層などを有していてもよいが、少なくとも、ホール輸送層、発光層、及び電子輸送層の３層を有する素子であることが好ましい。また、これらの各層はそれぞれ他の機能を備えたものであってもよい。各層の形成にはそれぞれ種々の材料を用いることができる。
【０４２５】
本発明の有機電界発光素子は、システム、駆動方法、利用形態などは特に問わない。
また、本発明の有機電界発光素子は、種々の公知の工夫により、光取り出し効率を向上させることができる。例えば、基板表面形状を加工する（例えば微細な凹凸パターンを形成する）、基板・ＩＴＯ層・有機化合物層の屈折率を制御する、基板・ＩＴＯ層・有機化合物層の膜厚を制御すること等により、光の取り出し効率を向上させ、外部量子効率を向上させることが可能である。
【０４２６】
本発明の有機電界発光素子は、陰極側から発光を取り出す、所謂、トップエミッション方式（特開２００３−２０８１０９号、同２００３−２４８４４１号、同２００３−２５７６５１号、同２００３−２８２２６１号の各公報などに記載）であってもよい。
【０４２７】
本発明の有機電界発光素子で用いられる基板は、特に限定されないが、ジルコニア安定化イットリウム、ガラス等の無機材料、ポリエチレンテレフタレート、ポリブチレンテレフタレート、ポリエチレンナフタレート等のポリエステルや、ポリエチレン、ポリカーボネート、ポリエーテルスルホン、ポリアリレート、アリルジグリコールカーボネート、ポリイミド、ポリシクロオレフィン、ノルボルネン樹脂、ポリ（クロロトリフルオロエチレン）、テフロン（登録商標）、ポリテトラフルオロエチレン−ポリエチレン共重合体等の高分子量材料であっても良い。
【０４２８】
陽極は、正孔注入層、正孔輸送層、発光層などに正孔を供給するものであり、金属、合金、金属酸化物、電気伝導性化合物、又はこれらの混合物などを用いることができ、好ましくは仕事関数が４ｅＶ以上の材料である。具体例としては酸化スズ、酸化亜鉛、酸化インジウム、酸化インジウムスズ（ＩＴＯ）等の導電性金属酸化物、あるいは金、銀、クロム、ニッケル等の金属、さらにこれらの金属と導電性金属酸化物との混合物又は積層物、ヨウ化銅、硫化銅などの無機導電性物質、ポリアニリン、ポリチオフェン、ポリピロールなどの有機導電性材料、およびこれらとＩＴＯとの積層物などが挙げられ、好ましくは、導電性金属酸化物であり、特に、生産性、高導電性、透明性等の点からＩＴＯが好ましい。陽極の膜厚は材料により適宜選択可能であるが、通常１０ｎｍ〜５μｍの範囲のものが好ましく、より好ましくは５０ｎｍ〜１μｍであり、更に好ましくは１００ｎｍ〜５００ｎｍである。
【０４２９】
陽極は、通常、ソーダライムガラス、無アルカリガラス、透明樹脂基板などの上に層形成したものが用いられる。ガラスを用いる場合、その材質については、ガラスからの溶出イオンを少なくするため、無アルカリガラスを用いることが好ましい。また、ソーダライムガラスを用いる場合、シリカなどのバリアコートを施したものを使用することが好ましい。基板の厚みは、機械的強度を保つのに十分であれば特に制限はないが、ガラスを用いる場合には、通常０．２ｍｍ以上、好ましくは０．７ｍｍ以上のものを用いる。
陽極の作製には材料によって種々の方法が用いられるが、例えばＩＴＯの場合、電子ビーム法、スパッタリング法、抵抗加熱蒸着法、化学反応法（ゾルーゲル法など）、酸化インジウムスズの分散物の塗布などの方法で膜形成される。
陽極は洗浄その他の処理により、素子の駆動電圧を下げたり、発光効率を高めることも可能である。例えばＩＴＯの場合、ＵＶ−オゾン処理、プラズマ処理などが効果的である。
【０４３０】
陰極は電子注入層、電子輸送層、発光層などに電子を供給するものであり、電子注入層、電子輸送層、発光層などの負極と隣接する層との密着性やイオン化ポテンシャル、安定性等を考慮して選ばれる。陰極の材料としては金属、合金、金属ハロゲン化物、金属酸化物、電気伝導性化合物、又はこれらの混合物を用いることができ、具体例としてはアルカリ金属（例えばＬｉ、Ｎａ、Ｋ等）及びそのフッ化物又は酸化物、アルカリ土類金属（例えばＭｇ、Ｃａ等）及びそのフッ化物又は酸化物、金、銀、鉛、アルミニウム、ナトリウム−カリウム合金又はそれらの混合金属、リチウム−アルミニウム合金又はそれらの混合金属、マグネシウム−銀合金又はそれらの混合金属、インジウム、イッテリビウム等の希土類金属等が挙げられ、好ましくは仕事関数が４ｅＶ以下の材料であり、より好ましくはアルミニウム、リチウム−アルミニウム合金又はそれらの混合金属、マグネシウム−銀合金又はそれらの混合金属等である。陰極は、上記化合物及び混合物の単層構造だけでなく、上記化合物及び混合物を含む積層構造を取ることもできる。例えば、アルミニウム／フッ化リチウム、アルミニウム／酸化リチウム の積層構造が好ましい。陰極の膜厚は材料により適宜選択可能であるが、通常１０ｎｍ〜５μｍの範囲のものが好ましく、より好ましくは５０ｎｍ〜１μｍであり、更に好ましくは１００ｎｍ〜１μｍである。
【０４３１】
陰極の作製には、電子ビーム法、スパッタリング法、抵抗加熱蒸着法、コーティング法、転写法などの方法が用いられ、金属を単体で蒸着することも、二成分以上を同時に蒸着することもできる。さらに、複数の金属を同時に蒸着して合金電極を形成することも可能であり、またあらかじめ調整した合金を蒸着させてもよい。
陽極及び陰極のシート抵抗は低い方が好ましく、数百Ω／□以下が好ましい。
【０４３２】
本発明における有機化合物層の形成方法は、特に限定されるものではないが、抵抗加熱蒸着、電子ビーム、スパッタリング、分子積層法、コーティング法（スプレーコート法、ディップコート法、含浸法、ロールコート法、グラビアコート法、リバースコート法、ロールブラッシュ法、エアーナイフコート法、カーテンコート法、スピンコート法、フローコート法、バーコート法、マイクログラビアコート法、エアードクターコート、ブレードコート法、スクイズコート法、トランスファーロールコート法、キスコート法、キャストコート法、エクストルージョンコート法、ワイヤーバーコート法、スクリーンコート法等）、インクジェット法、印刷法、転写法などの方法が用いられ、特性面、製造面で抵抗加熱蒸着、コーティング法、転写法が好ましい。
【０４３３】
本発明における発光層は、発光効率及び駆動耐久性向上の観点から、前記本発明の金属錯体を含むことが好ましい。
本発明の金属錯体が発光材料として用いられる場合、該発光材料の発光波長は、前記光変性可能な化合物の発光波長より短いことが、未照射の素子において光変性可能な化合物の発光効率を向上させる観点から好ましい。
【０４３４】
発光層に含まれる材料は、前記本発明の金属錯体及び光変性可能な化合物の他に、電界印加時に陽極又は正孔注入層、正孔輸送層から正孔を注入することができると共に、陰極又は電子注入層、電子輸送層から電子を注入することができる機能や、注入された電荷を移動させる機能、正孔と電子の再結合の場を提供して発光させる機能を有する層を形成することができるものであれば何でもよい。
【０４３５】
発光層に含まれる材料としては、既述した、本発明の金属錯体及び光変性可能な化合物のほか、例えば、ベンゾオキサゾール、ベンゾイミダゾール、ベンゾチアゾール、スチリルベンゼン、ポリフェニル、ジフェニルブタジエン、テトラフェニルブタジエン、ナフタルイミド、クマリン、ペリレン、ペリノン、オキサジアゾール、アルダジン、ピラリジン、シクロペンタジエン、ビススチリルアントラセン、キナクリドン、ピロロピリジン、チアジアゾロピリジン、シクロペンタジエン、スチリルアミン、芳香族ジメチリディン化合物、８−キノリノールの金属錯体や希土類錯体に代表される各種金属錯体、ポリチオフェン、ポリフェニレン、ポリフェニレンビニレン等のポリマー化合物、有機シラン、イリジウムトリスフェニルピリジン錯体、及び、白金ポルフィリン錯体に代表される遷移金属錯体、及び、それらの誘導体等が挙げられる。
【０４３６】
発光層の膜厚は、特に限定されるものではないが、通常１ｎｍ〜５μｍの範囲のものが好ましく、より好ましくは５ｎｍ〜１μｍであり、更に好ましくは１０ｎｍ〜５００ｎｍである。
【０４３７】
発光層の形成方法は、特に限定されるものではないが、前述した有機化合物層の形成方法の中でも、抵抗加熱蒸着、電子ビーム、スパッタリング、分子積層法、コーティング法、インクジェット法、印刷法、ＬＢ法、転写法などの方法が用いられ、好ましくは抵抗加熱蒸着、コーティング法である。
【０４３８】
発光層は前記本発明の金属錯体及び光変性可能な化合物のみから形成されてもよいし、さらに、ホスト材料等の他の化合物を加えた複数の化合物で形成されてもよい。
また、発光層は一つ（単層）であっても複数（積層構造）であってもよく、それぞれの層が異なる発光色で発光して、全体として例えば白色を発光してもよいし、単一の発光層から白色を発光してもよい。発光層が複数の場合は、それぞれの発光層は単一材料で形成されていてもよいし、複数の化合物で形成されていてもよい。
【０４３９】
本発明における発光層は、光変性させた箇所と光変性させない箇所とを共に有し、かつ、２色以上発光させることができることが好ましい。
前記光変性させた箇所とは、前記発光層に光照射して発光層に含まれる光変性可能な化合物を光変性させた領域（光照射した箇所）を言い、光変性させない箇所とは光変性可能な化合物に光照射していない領域（光照射していない箇所）を言う。
【０４４０】
本発明の発光素子において、前記光変性させた箇所は本発明の金属錯体由来の色相に発光し、光変性していない箇所は光変性可能な化合物の色相または光変性可能な化合物と本発明の金属錯体由来の混合した色相に発光することが好ましい。
即ち、本発明の発光素子において、光照射した箇所は本発明の金属錯体由来の色相に発光し、光未照射の箇所は光変性可能な化合物の色相または光変性可能な化合物と本発明の金属錯体由来の混合した色相に発光することが好ましい。
【０４４１】
前記発光層は、一層のみからなるものであってもよいが、複数層よりなるものであってもよい。発光層に対する電磁波照射（露光）は任意の一層あるいはすべての層に対して行うことができる。
この場合、（イ）全面に対して照射強度を変える場合（例えば白黒ネガフィルムのような部分的に透過度の異なるフィルターを通して露光したり、微小な光源から発生する光の照射強度を変化させながら走査させるなど）あるいは（ロ）マスキングにより部分的に照射する場合などがある。
部分露光をする場合は、例えばシャドウマスクを用いて密着露光したり、あるいは投影露光（レンズで集光した光あるいは微小な光源から発生する光を用いて部分的に露光する。あるいはこれにフォトマスクを併用するなど）によって実施することができる。
【０４４２】
前記光変性可能な化合物は、特開２００１−１３１４３４号公報の［００４５］〜［００４９］に記載のようにして製造することができる。
【０４４３】
本発明の有機ＥＬ素子の一例として、２色ＥＬ素子の作製方法の一例について、加熱蒸着法を用いた方法を以下に説明する。しかし、本発明はこれに限定されるものではなく、前記塗布等を用いることもできる。
【０４４４】
基板（ガラス）上にＩＴＯ電極を配置し、前記本発明の金属錯体（例えば、Ｃ）、光変性可能な化合物（例えば、Ａ）をそれぞれ加熱して２元同時蒸着法により発光層の形成を行う。
続いて、フォトマスクを上記発光層表面に密着させ、高圧水銀ランプをもちいて、光変性可能な化合物を含む発光層のある領域（例えば、発光層の１／２の面積）に光照射して前記１種の光変性可能な化合物のみを変性させる。その上から陰極材料を加熱蒸着法により蒸着し、本発明の有機電界発光素子を作製する。
上記操作によりＡの光変性した後の化合物をＡ*としたとき、光変性させた箇所（Ａ*）と光変性させない箇所（Ａ）とを共に有し、かつ、２色発光させることができる有機電界発光素子とすることができる。
即ち、光照射前はＡまたは（Ａ+Ｃ）由来の混合発光色であり、光照射後は、Ａまたは（Ａ+Ｃ）由来の混合発光色とＣの発光色により２色発光が可能となる。光照射前の発光色がＡの色となるか（Ａ＋Ｃ）混合色となるかは、用いる材料や、ＡやＣの濃度、ＡとＣが同一層にあるか別の層にあるかなどの層構成によって変化する。
【０４４５】
前記電磁波照射法（光照射法）である露光法としては、フォトマスクを用いた密着露光法や投影露光法に加え、レーザー光の走査など、公知の露光法が使用できる。
【０４４６】
電磁波としては、可視光をはじめ、紫外線、Ｘ線、γ線など適宜なエネルギーレベルのものを使用することができる。
【０４４７】
前述の通り、本発明によれば光変性可能な化合物及び本発明の金属錯体を有する発光層に素子製造過程において光照射し、光変性可能な化合物を劣化させ、素子からの発光色を変調できるので、これを利用して部分的に光照射することにより、同一基板上に発光色の異なる素子を極めて簡便に配置することができ、マルチカラー表示素子などに広く利用できる。
【０４４８】
とくに、基板上に、赤、緑、青の三層色の発光画素を１つのピクセルとして配列すれば、マルチカラーやフルカラーのディスプレイとして広く利用できる。
【０４４９】
有機ＥＬ素子では陽極すなわち正孔注入電極から正孔が有機層へ注入され、陰極すなわち電子注入電極から電子が有機層へ注入される。発光層となる有機層中で両キャリアは再結合し、励起子すなわち励起された分子を生成する。
発光層中に励起エネルギーレベルが発光層に使用する化合物（ホスト）より発光材料をドーパント（ゲスト）として微量分散することにより、励起エネルギー移動によりホストの発光をドーパントからのものに変調することができる。
この場合、複数種のドーパントを使用した場合には各ドーパント濃度を調整することにより、素子からの発光色を制御することができる。この制御については、「Ｊ．Ｋｉｄｏ、Ａｐｐｌ．Ｐｈｙｓ．Ｌｅｔｔ．６７ ２２８１、１９９５）」に記載の方法を参考にすることができる。
【０４５０】
上記のように光変性化合物及び本発明の金属錯体を有する本発明の素子において、部分的に光変性可能な化合物に紫外光や可視光などの電磁波を照射することにより光変性可能な化合物のみを劣化させ、露光部の発光色を変調することが可能となるものである。
即ち、同一基板上のすべての画素に赤、緑、青の光変性可能な化合物及び本発明の金属錯体を含有させておき、電磁波により赤、緑、青の発光画素を形成すればマルチカラーの有機電界発光素子を作製することができ、ディスプレーとして利用できる。
【０４５１】
本発明において、フルカラーでなく、２色ないし数色というような程度の発色発光状態を示す有機ＥＬ素子に用いることのできるドーパントを分散するホスト化合物は、発光色は限定されず、また、キャリア輸送性、電子輸送性、正孔輸送性あるいは両キャリア輸送性であってもよく、格別の制限はない。
【０４５２】
例えば、カルバゾール骨格を有するもの、ジアリールアミン骨格を有するもの、ピリジン骨格を有するもの、ピラジン骨格を有するもの、トリアジン骨格を有するもの及びアリールシラン骨格を有するものや、後述の正孔注入層、正孔輸送層、電子注入層、電子輸送層の項で例示されている材料、特開２００１−１３１４３４号公報段落番号［００１７］〜［００３１］に記載の化合物が挙げられる。
【０４５３】
３座以上の配位子を有する金属錯体、光変性可能な化合物以外に発光層にドーパントが含有されていてもよく、りん光性および蛍光性の有機化合物であっても特に限定はない。例えば、後述の電子輸送性材料、ホール輸送性材料、発光材料に加えて、レーザー色素として公知のクマリン誘導体、ジシアノメチレンピラン誘導体、ジシアノメチレンチオピラン誘導体、フルオレセイン誘導体、ペリレン誘導体、またポルフィリン誘導体などの顔料を用いることができる。
【０４５４】
正孔注入層、正孔輸送層に含まれる材料は、陽極から正孔を注入する機能、正孔を輸送する機能、陰極から注入された電子を障壁する機能のいずれか有しているものであればよい。
正孔注入層、正孔輸送層に含まれる材料の具体例としては、カルバゾール、トリアゾール、オキサゾール、オキサジアゾール、イミダゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、芳香族ジメチリディン系化合物、ポルフィリン系化合物、ポリシラン系化合物、ポリ（Ｎ−ビニルカルバゾール）、アニリン系共重合体、チオフェンオリゴマー、ポリチオフェン等の導電性高分子オリゴマー、有機シラン、カーボン膜、本発明の化合物、及び、それらの誘導体等が挙げられる。
【０４５５】
正孔注入層、正孔輸送層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。
正孔注入層、正孔輸送層は上述した材料の１種又は２種以上からなる単層構造であってもよいし、同一組成又は異種組成の複数層からなる多層構造であってもよい。
【０４５６】
正孔注入層、正孔輸送層の形成方法としては、前述した有機化合物層の形成方法の中でも、形成真空蒸着法やＬＢ法、前記正孔注入輸送材料を溶媒に溶解又は分散させてコーティングする方法、インクジェット法、印刷法、転写法が用いられる。コーティング法の場合、樹脂成分と共に溶解又は分散することができ、樹脂成分としては例えば、ポリ塩化ビニル、ポリカーボネート、ポリスチレン、ポリメチルメタクリレート、ポリブチルメタクリレート、ポリエステル、ポリスルホン、ポリフェニレンオキシド、ポリブタジエン、ポリ（Ｎ−ビニルカルバゾール）、炭化水素樹脂、ケトン樹脂、フェノキシ樹脂、ポリアミド、エチルセルロース、酢酸ビニル、ＡＢＳ樹脂、ポリウレタン、メラミン樹脂、不飽和ポリエステル樹脂、アルキド樹脂、エポキシ樹脂、シリコン樹脂などが挙げられる。
【０４５７】
電子注入層、電子輸送層に含まれる材料は、陰極から電子を注入する機能、電子を輸送する機能、陽極から注入された正孔を障壁する機能のいずれか有しているものであればよい。電子注入層、電子輸送層に含まれる材料の具体例としては、トリアゾール、オキサゾール、オキサジアゾール、イミダゾール、フルオレノン、アントラキノジメタン、アントロン、ジフェニルキノン、チオピランジオキシド、カルボジイミド、フルオレニリデンメタン、ジスチリルピラジン、ナフタレン、ペリレン等の芳香環テトラカルボン酸無水物、フタロシアニン、８−キノリノールの金属錯体やメタルフタロシアニン、ベンゾオキサゾールやベンゾチアゾールを配位子とする金属錯体に代表される各種金属錯体、有機シラン、及び、それらの誘導体等が挙げられる。
【０４５８】
電子注入層、電子輸送層の膜厚は、特に限定されるものではないが、通常１ｎｍ〜５μｍの範囲のものが好ましく、より好ましくは５ｎｍ〜１μｍであり、更に好ましくは１０ｎｍ〜５００ｎｍである。電子注入層、電子輸送層は上述した材料の１種又は２種以上からなる単層構造であってもよいし、同一組成又は異種組成の複数層からなる多層構造であってもよい。
【０４５９】
電子注入層、電子輸送層の形成方法としては、前述した有機化合物層の形成方法の中でも、真空蒸着法やＬＢ法、前記電子注入輸送材料を溶媒に溶解又は分散させてコーティングする方法、インクジェット法、印刷法、転写法などが用いられる。コーティング法の場合、樹脂成分と共に溶解又は分散することができ、樹脂成分としては例えば、正孔注入輸送層の場合に例示したものが適用できる。
【０４６０】
本発明の有機電界発光素子は、水分や酸素の進入を防止するために保護層を有してもよい。保護層に含まれる材料としては、水分や酸素等の素子劣化を促進するものが素子内に入ることを抑止する機能を有しているものであればよい。その具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ2、Ａｌ2Ｏ3、ＧｅＯ、ＮｉＯ、ＣａＯ、ＢａＯ、Ｆｅ2Ｏ3、Ｙ2Ｏ3、ＴｉＯ2等の金属酸化物、ＭｇＦ2、ＬｉＦ、ＡｌＦ3、ＣａＦ2等の金属フッ化物、ＳｉＮx、ＳｉＯxＮy などの窒化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
保護層の形成方法についても特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、転写法を適用できる。
【０４６１】
さらに本発明においては、封止容器を用いて本発明の素子全体を封止してもよい。また、封止容器と素子の間の空間に水分吸収剤又は不活性液体を封入してもよい。水分吸収剤としては、特に限定されることはないが、例えば酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、酸化マグネシウム等を挙げることができる。不活性液体としては、特に限定されることはないが例えば、パラフィン類、流動パラフィン類、パーフルオロアルカンやパーフルオロアミン、パーフルオロエーテル等のフッ素系溶剤、塩素系溶剤、シリコーンオイル類が挙げられる。
【０４６２】
本発明の有機電界発光素子の用途は特に限定されないが、表示素子、ディスプレイ、バックライト、電子写真、照明光源、記録光源、露光光源、読み取り光源、標識、看板、インテリア、光通信等の分野に好適に使用できる。
【実施例】
【０４６３】
本発明について実施例を用いて説明するが、これに限定されるものではない。
【０４６４】
（比較例１）
ガラス基板上に、インジウム・スズ酸化物（ＩＴＯ）透明導電膜を１５０ｎｍ堆積したもの（ジオマテック社製）に対し、フォトリソグラフィーと塩酸エッチングを用いてパターニングし、陽極を形成した。パターン形成したＩＴＯ基板を、アセトンによる超音波洗浄、純水による水洗、イソプロピルアルコールによる超音波洗浄の順で洗浄後、窒素ブローで乾燥させ、最後に紫外線オゾン洗浄を行った。
【０４６５】
ポリビニルカルバゾール（ＰＶＫ）４０ｍｇと、下記に示す光変性可能な５，１２−ジフェニルナフタセン（ＤＰＮ）１．６ｍｇの１，２−ジクロロエタン溶液４ｍｌを作成し、この溶液を、洗浄した基板上にスピンコート法で塗布した。このようにして５０ｎｍの正孔輸送性発光層を作成した。
【０４６６】
前記正孔輸送性発光層へ２５０Ｗ高圧水銀ランプで干渉フィルターとフォトマスクを用いて３６５ｎｍの光を照射し、ＤＰＮを光酸化させた。
【０４６７】
引続き、上記により形成された正孔輸送性発光層の上に、発光層に含有されるホスト材料として、下記に示す、４，４′−Ｎ，Ｎ′−ジカルバゾール−ビフェニル（ＣＢＰ）と、ドーパント材料として下記に示すＦｉｒｐｉｃと、を加熱し、２元同時蒸着法により発光層の成膜を行った。ＣＢＰの蒸着速度は０．２ｎｍ／秒に制御し、Ｆｉｒｐｉｃが１０質量％、含有された膜厚３０ｎｍの発光層を正孔輸送層の上に積層した。
【０４６８】
【化１３０】
2007088105.tif 000131
【０４６９】
【化１３１】
2007088105.tif 000132
【０４７０】
更に、発光層の上に、電子輸送層中の電子輸送材料としてＢａｌｑ2を真空蒸着法にて０．５ｎｍ／秒の速度で膜厚１０ｎｍ蒸着し、その上に、電子輸送材料としてＡｌｑ3を真空蒸着法にて０．２ｎｍ／秒の速度で蒸着して膜厚３５ｎｍの電子輸送層を設けた。真空度は０．８×１０-4Ｐａであった。
さらにこの電子輸送層上にパタ−ニングしたマスク（発光面積が２ｍｍ×２ｍｍとなるマスク）を設置し、フッ化リチウムを真空蒸着法にて蒸着して１ｎｍの電子注入層を設けた。
この上にアルミニウムを真空蒸着法にて蒸着し０．１５μｍの陰極を設けた。
前記陽極及び陰極より、それぞれアルミニウムのリ−ド線を結線し、発光積層体を形成した。
こうして得られた素子に対し、大気に触れさせること無く、窒素ガスで置換したグローブボックス内に入れ、内側に凹部を設けたステンレス製の封止缶に、前記グローブボックス内で水分吸収剤（サエスゲッターズ製）を貼り付け、紫外線硬化型の接着剤（ＸＮＲ５５１６ＨＶ、長瀬チバ（株）製）を用いて、前記封止缶で封止した。
【０４７１】
【化１３２】
2007088105.tif 000133
【０４７２】
以上より得られた有機ＥＬ素子に対し、ケースレー社製ソースメジャーユニット２４００型を用いて直流電圧を印加し、トプコン社製ＳＲ−３を用いて発光スペクトルを測定した。その際の部分的に光照射した箇所と未照射部分との発光スペクトルが異なることを確認した。
光照射した箇所に対し、初期輝度５００ｃｄ／ｍ2で定電流駆動を行い、輝度が２５０ｃｄ／ｍ2まで半減する時間を測定し、耐久性の指標とした。。
【０４７３】
（実施例１〜４、比較例２，３）
実施例１において、Ｆｉｒｐｉｃの代わりに、白金錯体Ａ（実施例１）、白金錯体Ｂ（実施例２）、白金錯体Ｃ（実施例３）、白金錯体Ｄ（実施例４）、イリジウム錯体Ａ（比較例２）、イリジウム錯体Ｂ（比較例３）を用いてた以外は、同様に素子を作製して、同様の評価を行った。
【０４７４】
【化１３３】
2007088105.tif 000134
【０４７５】
駆動耐久性の結果を、比較例を１としたとき、２．０以上であるものを◎、１．５以上であるものを○、１．５未満であるものを×として評価した。
【０４７６】
【表１】
2007088105.tif 000135
【０４７７】
表１から明らかな通り、３座以上の配位子を持つ錯体を用いた方が耐久性が良いことがわかる。この理由は明らかではないが、正孔輸送性発光層内にできた光変性可能な材料の酸化体が発光層に影響を与えており、３座以上の配位子を持つ錯体の方が光変性材料の酸化体に対して影響を受けにくいためだと考えられる。